(57)【要約】  本発明は、除湿空気清浄機及びその制御方法に関し、本発明の一実施形態による除湿空気清浄機の風量制御方法は、既設定の清浄モードに応じて送風ファンの回転速度を設定し、上記送風ファンの回転により流入される外部空気中の汚染物質をろ過する空気清浄段階と、上記外部空気中に含まれている水蒸気を除去する除湿部を動作させる除湿動作信号の入力を受ける除湿動作信号入力段階と、上記清浄モードが一般清浄モードであれば、上記送風ファンの回転速度を上記除湿動作信号に応じて再設定し、上記除湿部を動作させて除湿動作を行う除湿段階と、上記清浄モードが機能清浄モードであれば、上記送風ファンの回転速度を保持し、上記除湿動作は行わない機能清浄段階と、を含むことができる。【選択図】図３
2014517251.tif 000002
【特許請求の範囲】
【請求項１】
既設定の清浄モードに応じて送風ファンの回転速度を設定し、前記送風ファンの回転により流入される外部空気中の汚染物質をろ過する空気清浄段階と、
前記外部空気中に含まれている水蒸気を除去する除湿部を動作させる除湿動作信号の入力を受ける除湿動作信号入力段階と、
前記清浄モードが一般清浄モードであれば、前記送風ファンの回転速度を前記除湿動作信号に応じて再設定し、前記除湿部を動作させて除湿動作を行う除湿段階と、
前記清浄モードが機能清浄モードであれば、前記送風ファンの回転速度を保持し、前記除湿動作は行わない機能清浄段階と、
を含む、除湿空気清浄機の風量制御方法。
【請求項２】
前記除湿動作信号入力段階は、
前記外部空気の湿度が基準湿度値以上であれば、前記除湿動作信号の入力を受ける、請求項１に記載の除湿空気清浄機の風量制御方法。
【請求項３】
前記除湿段階は、
前記外部空気の湿度値に応じて既設定の除湿動作速度に前記送風ファンの回転速度を再設定する、請求項２に記載の除湿空気清浄機の風量制御方法。
【請求項４】
前記外部空気の湿度が基準湿度値未満に低下すると、埃センサーが測定した前記外部空気中の汚染物質の量に応じて既設定の清浄駆動速度に前記送風ファンの回転速度を再設定する空気清浄復帰段階をさらに含む、請求項２に記載の除湿空気清浄機の風量制御方法。
【請求項５】
外部の照度値を測定し、前記測定した照度値が基準照度値以下であれば、就寝モードで動作して前記除湿部の動作を中断し、前記送風ファンの回転速度を静音速度に再設定する就寝モード転換段階をさらに含む、請求項１に記載の除湿空気清浄機の風量制御方法。
【請求項６】
洗濯物乾燥信号が入力されると、前記除湿部を動作させながら前記送風ファンの回転速度を洗濯物乾燥動作速度に増加させる洗濯物乾燥段階をさらに含む、請求項１に記載の除湿空気清浄機の風量制御方法。
【請求項７】
内部に流入される空気中に含まれている汚染物質をろ過するフィルター部と、
前記流入される空気中に含まれている水蒸気を除去する除湿部と、
モータにより回転するもので、外部の空気を内部に流入させる送風ファンと、
前記除湿部の駆動なしに前記送風ファンの回転速度を調節して前記汚染物質をろ過する清浄モードの動作中に、前記除湿部を動作させる除湿動作信号が入力されると、前記清浄モードの種類に応じて前記除湿部の動作有無及び前記送風ファンの回転速度を再設定する制御部と、を含む除湿空気清浄機。
【請求項８】
前記制御部は、
前記外部空気の湿度が基準湿度値以上であれば、前記除湿動作信号の入力を受ける、請求項７に記載の除湿空気清浄機。
【請求項９】
前記制御部は、
前記清浄モードが一般清浄モードであれば、前記除湿動作信号に応じて前記除湿部動作及び前記送風ファンの回転速度を設定し、前記清浄モードが機能清浄モードであれば、前記機能清浄モードによる動作を保持する、請求項７に記載の除湿空気清浄機。
【請求項１０】
前記制御部は、
外部の照度値の入力を受けて、前記照度値が既設定値以下であれば、就寝モードで動作して前記除湿部の動作を中断させる、請求項９に記載の除湿空気清浄機。
【請求項１１】
前記制御部は、
洗濯物乾燥信号が入力されると、前記除湿部を動作させると同時に前記送風ファンの回転速度を洗濯物乾燥速度に増加させる、請求項９に記載の除湿空気清浄機。
【請求項１２】
内部に流入される空気中に含まれている汚染物質をろ過するフィルター部と、
前記流入される空気中に含まれている水蒸気を除去する除湿部と、
モータにより回転するもので、外部の空気を内部に流入させる送風ファンと、
空気の湿度値を測定する湿度センサー及び空気中の埃量を測定する埃センサーを有するセンサー部と、
前記測定した湿度値が基準湿度以上であれば、前記除湿部を動作させて前記測定した湿度値に応じて前記送風ファンの回転速度を設定し、前記測定した湿度値が基準湿度未満であれば、前記除湿部の動作を中断して前記測定した埃量に応じて前記送風ファンの回転速度を設定する制御部と、を含む、除湿空気清浄機。
【請求項１３】
前記センサー部は外部の照度を測定する照度センサーをさらに含み、
前記制御部は前記測定した照度値が基準照度未満であれば、前記除湿部の動作を中断する、請求項１２に記載の除湿空気清浄機。
【請求項１４】
前記制御部は、
前記測定した照度値が前記基準照度未満であれば、前記送風ファンの回転速度を静音速度に再設定する、請求項１３に記載の除湿空気清浄機。
【請求項１５】
前記測定した湿度値に応じて制御される前記送風ファンの回転速度の範囲は、前記測定した埃量に応じて制御される前記送風ファンの回転速度の範囲と異なる、請求項１２に記載の除湿空気清浄機。
【請求項１６】
前記湿度値に応じて制御される前記送風ファンの回転速度の範囲は、前記埃量に応じて制御される前記送風ファンの回転速度の範囲に含まれる、請求項１５に記載の除湿空気清浄機。
【請求項１７】
前記制御部は、
前記除湿部の表面温度が除霜基準温度以下であれば、除霜モードに転換し、前記除霜モードに該当すると、前記除湿部の動作を中断し、前記送風ファンの回転速度を除霜駆動速度に設定する、請求項１２に記載の除湿空気清浄機。
【請求項１８】
前記制御部は、
前記測定した表面温度が既設定の範囲から外れると、既設定の周期ごとに繰り返して前記除霜モードに転換する、請求項１７に記載の除湿空気清浄機。
【請求項１９】
前記制御部は、
前記除湿部の動作を中断する制御信号が入力されると、熱交換器乾燥モードに転換し、前記熱交換器乾燥モードに該当すると、前記除湿部の温度及び湿度に応じて前記送風ファンの動作速度及び動作時間を設定する、請求項１２に記載の除湿空気清浄機。
【請求項２０】
前記制御部は、
前記除湿部の温度が基準温度値より高く、前記除湿部の湿度が基準湿度値より高いと、前記送風ファンが第１動作速度及び第１動作時間で動作するように設定し、
前記除湿部の温度が基準温度値より低く、前記除湿部の湿度が基準湿度値より高いと、前記送風ファンが第２動作速度及び第２動作時間で動作するように設定し
前記除湿部の温度が基準温度値より低く、前記除湿部の湿度値が前記基準湿度値より低いと、前記送風ファンが第３動作速度及び第３動作時間で動作するように設定する、請求項１９に記載の除湿空気清浄機。
【請求項２１】
前記制御部は、
前記流入される空気の温度値が過負荷基準温度以上または前記除湿部に供給される供給電流の大きさが基準電流値以上であれば、過負荷モードに転換し、前記過負荷モードに該当すると、前記送風ファンの回転速度を過負荷駆動速度に設定する、請求項１２に記載の除湿空気清浄機。
【請求項２２】
前記制御部は、
前記除湿部を動作させる除湿動作信号が入力されると、前記送風ファンの回転速度を既設定の回転速度に上昇させ、前記送風ファンの回転速度が前記既設定の回転速度であれば、前記除湿部を動作させる、請求項１２に記載の除湿空気清浄機。
【請求項２３】
内部に流入される空気中に含まれている汚染物質をろ過するフィルター部と、前記流入される空気中に含まれている水蒸気を除去する除湿部と、送風ファンの回転速度と前記除湿部の動作を制御する制御部と、を含む除湿空気清浄機の制御方法であって、
湿度センサー及び埃センサーを利用して前記流入される空気の湿度値及び埃量を測定する段階と、
前記測定した湿度値が基準湿度以上であれば、前記除湿部を動作させて前記測定した湿度値に応じて前記送風ファンの回転速度を設定する段階と、
前記測定した湿度値が前記基準湿度未満であれば、前記除湿部の動作を中断し、前記測定した埃量に応じて前記送風ファンの回転速度を設定する段階と、を含む、除湿空気清浄機の制御方法。
【請求項２４】
照度センサーを利用して外部の照度を測定し、前記測定した照度値が基準照度未満であれば、前記除湿部の動作を中断する段階をさらに含む、請求項２３に記載の除湿空気清浄機の制御方法。
【請求項２５】
前記測定した照度値が前記基準照度未満であれば、前記送風ファンの回転速度を静音速度に再設定する、請求項２４に記載の除湿空気清浄機の制御方法。
【請求項２６】
前記測定した湿度値に応じて制御される前記送風ファンの回転速度の範囲は、前記測定した埃量に応じて制御される前記送風ファンの回転速度の範囲と異なる、請求項２３に記載の除湿空気清浄機の制御方法。
【請求項２７】
前記湿度値に応じて制御される前記送風ファンの回転速度の範囲は、前記埃量に応じて制御される前記送風ファンの回転速度の範囲に含まれる、請求項２６に記載の除湿空気清浄機の制御方法。
【発明の詳細な説明】
【技術分野】
【０００１】
本発明は除湿空気清浄機及びその制御方法に関し、より詳細には、除湿空気清浄機の空気清浄機能及び除湿機能が効果的に行われるように上記除湿空気清浄機の風量を制御する風量制御方法及びそれを利用する除湿空気清浄機に関する。
【背景技術】
【０００２】
通常、空気清浄機は汚染された室内空気を吸い込み、上記室内空気中に含まれている埃、臭い粒子などの汚染物質をフィルターでろ過することで、きれいな空気に浄化することができる。このように浄化された空気は、上記空気清浄機の外部、即ち、室内に吐出されて上記室内全体の空気をきれいに浄化することができる。但し、上記空気清浄機は、空気中に含まれている湿気を除去することができないため、適正な室内湿度を保持するためには別途の除湿機を備える必要がある。
【０００３】
そのため、最近では、上記空気清浄機に除湿機能を備え、空気清浄機能とともに除湿機能も行う除湿空気清浄機が多く開発されている。
【０００４】
但し、上記空気清浄のために用いられる空気浄化用風量と上記除湿機能を行うために用いられる除湿風量には、その範囲に差があるため、上記除湿空気清浄機の風量制御に関する問題点があった。
【０００５】
具体的には、上記除湿風量で上記空気浄化機能を行うと、上記除湿空気清浄機の空気浄化性能が低下し、上記空気浄化用風量で上記除湿機能を行うと、上記除湿機能がうまく具現されないため、上記除湿空気清浄機に対する使用者の信頼度が低下するという問題点があった。
【発明の概要】
【発明が解決しようとする課題】
【０００６】
本発明は、風量制御方法及びそれを利用した除湿空気清浄機を提供する。
【課題を解決するための手段】
【０００７】
本発明の一実施形態による除湿空気清浄機の風量制御方法は、既設定の清浄モードに応じて送風ファンの回転速度を設定し、上記送風ファンの回転により流入される外部空気中の汚染物質をろ過する空気清浄段階と、上記外部空気中に含まれている水蒸気を除去する除湿部を動作させる除湿動作信号の入力を受ける除湿動作信号入力段階と、上記清浄モードが一般清浄モードであれば、上記送風ファンの回転速度を上記除湿動作信号に応じて再設定し、上記除湿部を動作させて除湿動作を行う除湿段階と、上記清浄モードが機能清浄モードであれば、上記送風ファンの回転速度を保持し、上記除湿動作は行わない機能清浄段階と、を含んでいる。
【０００８】
上記除湿動作信号入力段階は、上記外部空気の湿度が基準湿度値以上のとき、上記除湿動作信号の入力を受けることができる。
【０００９】
上記除湿段階は、上記外部空気の湿度値に応じて既設定の除湿動作速度に上記送風ファンの回転速度を再設定することができる。
【００１０】
上記除湿空気清浄機の風量制御方法は、上記外部空気の湿度が基準湿度値未満に低下すると、埃センサーが測定した上記外部空気中の汚染物質量に応じて既設定の清浄駆動速度に上記送風ファンの回転速度を再設定する空気清浄復帰段階をさらに含んでもよい。
【００１１】
上記除湿空気清浄機の風量制御方法は、外部の照度値を測定し、上記測定した照度値が基準照度値以下であれば、就寝モードで動作して上記除湿部の動作を中断し、上記送風ファンの回転速度を静音速度に再設定する就寝モード転換段階をさらに含んでもよい。
【００１２】
上記除湿空気清浄機の風量制御方法は、洗濯物乾燥信号が入力されると、上記除湿部を動作させながら上記送風ファンの回転速度を洗濯物乾燥動作速度に増加させる洗濯物乾燥段階をさらに含んでもよい。
【００１３】
本発明の一実施形態による除湿空気清浄機は、内部に流入される空気中に含まれている汚染物質をろ過するフィルター部と、上記流入される空気中に含まれている水蒸気を除去する除湿部と、モータにより回転するもので、外部の空気を内部に流入させる送風ファンと、上記除湿部の駆動なしに上記送風ファンの回転速度を調節して上記汚染物質をろ過する清浄モードの動作中に、上記除湿部を動作させる除湿動作信号が入力されると、上記清浄モードの種類に応じて上記除湿部の動作有無及び上記送風ファンの回転速度を再設定する制御部と、を含んでいる。
【００１４】
上記制御部は、上記外部空気の湿度が基準湿度値以上であれば、上記除湿動作信号の入力を受けることができる。
【００１５】
上記制御部は、上記清浄モードが一般清浄モードであれば、上記除湿動作信号に応じて上記除湿部の動作及び上記送風ファンの回転速度を設定し、上記清浄モードが機能清浄モードであれば、上記機能清浄モードによる動作を保持することができる。
【００１６】
上記制御部は、外部の照度値の入力を受けて、上記照度値が既設定値以下であれば、就寝モードで動作して上記除湿部の動作を中断させることができる。
【００１７】
上記制御部は、洗濯物乾燥信号が入力されると、上記除湿部を動作させるとともに上記送風ファンの回転速度を洗濯物乾燥速度に増加させることができる。
【００１８】
本発明の他の実施形態による除湿空気清浄機は、内部に流入される空気中に含まれている汚染物質をろ過するフィルター部と、上記流入される空気中に含まれている水蒸気を除去する除湿部と、モータにより回転するもので、外部の空気を内部に流入させる送風ファンと、照度値を測定する照度センサー、空気の湿度値を測定する湿度センサー、及び空気中の埃量を測定する埃センサーを有するセンサー部と、湿度値及び埃量のそれぞれに比例して設定された多段のＲＰＭで上記送風ファンのＲＰＭを制御する制御部と、を含み、上記制御部は、上記照度値、上記湿度値及び上記埃量を測定し、上記測定した照度値が昼と夜を区分する基準となる基準照度以上のときは、上記測定した湿度値に比例して上記送風ファンを多段のＲＰＭで制御し、上記測定した照度値が上記基準照度未満のときは、上記測定した湿度値と基準湿度に基づいて上記送風ファンを最低段のＲＰＭで制御するものである。
【００１９】
上記制御部は、上記送風ファンを最低段のＲＰＭで制御する場合、上記測定した湿度値が既設定の基準湿度以上のとき、上記湿度値に比例して設定された多段のＲＰＭのうち最低段のＲＰＭで上記送風ファンのＲＰＭを制御し、上記測定した湿度値が上記基準湿度未満のとき、上記埃量に比例して設定された多段のＲＰＭのうち最低段のＲＰＭで上記送風ファンのＲＰＭを制御することができる。
【００２０】
上記制御部は、上記比較の結果、上記送風ファンのＲＰＭ制御が終了した後、一定時間上記送風ファンを駆動させることができる。
【００２１】
上記フィルター部は、空気中の粗大な埃を除去するための第１フィルター部と、空気中の微細な埃とウイルスを除去するためのヘパフィルター、及び空気中の臭いを除去するための脱臭フィルターを含む第２フィルター部と、を含んでもよい。
【００２２】
上記除湿部は、液相の冷媒を蒸発させる蒸発器と、上記蒸発器で蒸発した気相の冷媒を圧縮する圧縮機と、上記圧縮機で圧縮した冷媒を凝縮させて上記蒸発器に再循環させる凝縮器と、を含んでもよい。
【００２３】
上記凝縮器と上記蒸発器は、上記送風ファンにより流入された空気が排出される空気の経路に沿って一定間隔で配置されてもよい。
【００２４】
上記凝縮器と上記蒸発器は、上記送風ファンにより流入された空気が排出される経路に垂直した同一平面上に配置されてもよい。
【００２５】
上記フィルター部は、上記送風ファンにより流入された空気が排出される経路上において、上記除湿部の前段に配置されてもよい。
【００２６】
上記送風ファンにより流入された空気が排出される経路上において、上記除湿部の前段に上記第１フィルター部が、上記除湿部の後段に上記第２フィルター部が分離配置されてもよい。
【００２７】
上記脱臭フィルターは、上記送風ファンにより流入された空気が排出される経路上において、上記ヘパフィルターの前段に配置されてもよい。
【００２８】
上記フィルター部は、上記送風ファンにより流入された空気が排出される経路上において、上記除湿部の前段に配置されてもよい。
【００２９】
上記送風ファンにより流入された空気が排出される経路上において、上記除湿部の前段に上記第１フィルター部が、上記除湿部の後段に上記第２フィルター部が配置されてもよい。
【００３０】
本発明の一実施形態による除湿空気清浄機の制御方法は、内部に流入される空気中に含まれている汚染物質をろ過するフィルター部と、上記流入される空気中に含まれている水蒸気を除去する除湿部と、モータにより回転するもので、外部の空気を内部に流入させる送風ファンと、照度値を測定する照度センサー、空気の湿度値を測定する湿度センサー、及び空気中の埃量を測定する埃センサーを有するセンサー部と、湿度値及び埃量それぞれに比例して設定された多段のＲＰＭで上記送風ファンのＲＰＭを制御する制御部と、を含む除湿空気清浄機の制御方法であって、上記照度値、上記湿度値及び上記埃量を測定する段階と、上記測定した照度値を昼と夜を区分する基準となる基準照度と比較する段階と、上記比較の結果、上記測定した照度値が上記基準照度以上のとき、上記測定した湿度値に比例して上記送風ファンを多段のＲＰＭで制御する段階と、上記比較の結果、上記測定した照度値が上記基準照度未満のとき、上記測定した湿度値と既設定の基準湿度に基づいて上記送風ファンを最低段のＲＰＭに制御する段階と、を含んでいる。
【００３１】
上記送風ファンを最低段のＲＰＭで制御する段階は、上記測定した湿度値と上記基準湿度を比較する段階と、上記比較の結果、上記測定した湿度値が上記基準湿度以上のとき、上記湿度値に比例して設定された多段のＲＰＭのうち最低段のＲＰＭに上記送風ファンのＲＰＭを制御し、上記測定した湿度値が上記基準湿度未満のとき、上記埃量に比例して設定された多段のＲＰＭのうち最低段のＲＰＭに上記送風ファンのＲＰＭを制御する段階と、を含んでもよい。
【００３２】
上記比較の結果、上記送風ファンのＲＰＭ制御が終了した後、一定時間上記送風ファンを駆動させる段階をさらに含んでもよい。
【００３３】
上記フィルター部は、空気中の粗大な埃を除去するための第１フィルター部と、空気中の微細な埃とウイルスを除去するためのヘパフィルター及び空気中の臭いを除去するための脱臭フィルターを含む第２フィルター部と、で構成されてもよい。
【００３４】
上記除湿部は、液相の冷媒を蒸発させる蒸発器と、上記蒸発器で蒸発した気相の冷媒を圧縮する圧縮機と、上記圧縮機で圧縮した冷媒を凝縮させて上記蒸発器に再循環させる凝縮器と、を含んでもよい。
【００３５】
上記凝縮器と上記蒸発器は、上記送風ファンにより流入された空気が排出される空気の経路に沿って一定間隔で配置されてもよい。
【００３６】
上記凝縮器と上記蒸発器は、上記送風ファンにより流入された空気が排出される経路に垂直した同一平面上に配置されてもよい。
【００３７】
上記フィルター部は、上記送風ファンにより流入された空気が排出される経路上において、上記除湿部の前段に配置されてもよい。
【００３８】
上記送風ファンにより流入された空気が排出される経路上において、上記除湿部の前段に上記第１フィルター部が、上記除湿部の後段に上記第２フィルター部が分離配置されてもよい。
【００３９】
上記脱臭フィルターは、上記送風ファンにより流入された空気が排出される経路上において、上記ヘパフィルターの前段に配置されてもよい。
【００４０】
上記フィルター部は、上記送風ファンにより流入された空気が排出される経路上において、上記除湿部の前段に配置されてもよい。
【００４１】
上記送風ファンにより流入された空気が排出される経路上において、上記除湿部の前段に上記第１フィルター部が、上記除湿部の後段に上記第２フィルター部が配置されてもよい。
【発明の効果】
【００４２】
本発明の一実施形態による除湿空気清浄機及びその制御方法は、空気浄化用風量と除湿風量の範囲に差がある場合に、各状況に応じて空気清浄機能及び除湿機能が効果的に行われ、上記除湿空気清浄機の信頼性ある動作を具現することができる。
【００４３】
また、本発明の一実施形態による除湿空気清浄機及びその制御方法は、騒音発生を最小限にする就寝モードで動作し、使用者の睡眠を妨害しないようにすることができる。即ち、照度値に応じて送風ファンのＲＰＭを適切に制御することで、周辺環境、例えば、就寝モードが適用される夜に騒音を減らすことができるため、快適な室内環境を保持することができる。
【００４４】
また、本発明の一実施形態による除湿空気清浄機及びその制御方法は、高い風量を提供して優れた洗濯物乾燥機能を提供することができる。
【００４５】
また、本発明の一実施形態による除湿空気清浄機及びその制御方法によると、特に、ヘパフィルター及び脱臭フィルターを除湿モジュールの後段に配置することで、ヘパフィルター及び脱臭フィルターの性能低下及び寿命短縮を防止することができる。
【００４６】
また、本発明の一実施形態による除湿空気清浄機及びその制御方法によると、更なる部品を追加せずに送風ファンの駆動速度を調節して蒸発器に生成された霜を効果的に除霜することができる。
【００４７】
また、本発明の一実施形態による除湿空気清浄機及びその制御方法によると、除湿部の湿度及び温度を考慮して、より速くて効率的に上記除湿部を乾燥することができる。
【００４８】
また、本発明の一実施形態による除湿空気清浄機及びその制御方法は、夏のような高温の環境でも安定的に除湿機能を提供することができ、別途の更なる構成がなくても上記除湿空気清浄機に発生した過負荷を解消することができる。
【００４９】
また、本発明の一実施形態による除湿空気清浄機及びその除湿方法によると、除湿清浄機の除湿動作時に騒音と振動が急に発生しないようにすることができる。従って、上記騒音及び振動に使用者が驚くことを防止することができ、使用者が上記除湿清浄機の性能及び正常動作有無に対して疑問を感じることを防止することができる。また、使用者が上記除湿空気清浄機の動作に信頼を持つことができるため、使用者の満足度が増大する効果がある。
【図面の簡単な説明】
【００５０】
【図１】本発明の一実施形態による除湿空気清浄機を示す概略図である。
【図２】本発明の他の実施形態による除湿空気清浄機を示す概略図である。
【図３】本発明の他の実施形態による除湿空気清浄機を示す概略図である。
【図４】本発明の他の実施形態による除湿空気清浄機を示す概略図である。
【図５】本発明の一実施形態による除湿空気清浄機の制御方法を説明するフローチャートである。
【図６】本発明の他の実施形態による除湿空気清浄機の制御方法を説明するフローチャートである。
【図７】本発明の他の実施形態による除湿空気清浄機の制御方法を説明するフローチャートである。
【図８】本発明の一実施形態による除湿空気清浄機の風量制御方法を示すフローチャートである。
【図９】本発明の一実施形態による除湿空気清浄機の除霜方法を示すフローチャートである。
【図１０】本発明の一実施形態による除湿空気清浄機の熱交換器の乾燥方法を示すフローチャートである。
【図１１】本発明の他の実施形態による除湿空気清浄機の熱交換器の乾燥方法を示すフローチャートである。
【図１２】本発明の一実施形態による除湿空気清浄機の過負荷制御方法を示すフローチャートである。
【図１３】本発明の一実施形態による除湿空気清浄機の圧縮機の騒音低減制御を示すフローチャートである。
【発明を実施するための形態】
【００５１】
以下では、添付の図面を参照して本発明が属する技術分野で通常の知識を有する者が本発明を容易に実施できるように好ましい実施形態を詳しく説明する。但し、本発明の好ましい実施形態を詳細に説明するにおいて、係わる公知機能または構成に対する具体的な説明が本発明の要旨を不要に不明確にすると判断される場合には、その詳細な説明を省略する。また、類似する機能及び作用をする部分に対しては図面全体にわたって同じ符号を使用する。
【００５２】
さらに、明細書の全体において、ある部分が他の部分と「連結」されているとは、「直接的に連結」されている場合だけでなく、その中間に他の素子を介して「間接的に連結」されている場合も含む。また、ある構成要素を「含む」とは、特に反対の記載がない限り、他の構成要素を除くのではなく他の構成要素をさらに含むことができるということを意味する。
【００５３】
図１は本発明の一実施形態による除湿空気清浄機を示す概略図である。
【００５４】
図１を参照すると、本発明の一実施形態による除湿空気清浄機１００は、フィルター部１１０、除湿部１２０、送風ファン１３０、センサー部Ｓ１、Ｓ２、Ｓ３及び制御部１４０を含んでもよい。ここで、図１に示された経路Ｐは、除湿空気清浄機１００に流入される空気の経路を示すもので、上記流入された空気は、フィルター部１１０と除湿部１２０を順に通過することができる。
【００５５】
以下、図１を参照して本発明の一実施形態による除湿空気清浄機を説明する。
【００５６】
フィルター部１１０は、内部に流入される空気に含まれている汚染物質をろ過することができる。上記フィルター部１１０は、上記送風ファン１３０により流入される空気中の汚染物質を吸着する方式で上記汚染物質を除去することができる。
【００５７】
上記フィルター部１１０は、第１フィルター部１１１、１１２及び第２フィルター部１１３、１１４に区分され、それぞれのフィルター部の内部には複数個のフィルターが含まれてもよい。
【００５８】
具体的には、上記第１フィルター部１１１、１１２は前処理フィルター（ｐｒｅｆｉｌｔｅｒ）１１１及び機能性フィルター１１２などを含んでもよく、上記第２フィルター部１１３、１１４はヘパフィルター（ＨＥＰＡ  ｆｉｌｔｅｒ、Ｈｉｇｈ  Ｅｆｆｉｃｉｅｎｃｙ  Ｐａｒｔｉｃｕｌａｔｅ  Ａｒｒｅｓｔｉｎｇ  ａｉｒ  ｆｉｌｔｅｒ）１１３及び脱臭フィルター１１４などを含んでもよい。
【００５９】
上記前処理フィルター１１１は比較的に粗大な埃、ペットの毛などを除去する機能を行い、上記機能性フィルター１１２は花粉、家ダニ、細菌、バクテリア、黄砂などを除去する機能を行うことができる。ここで、上記機能性フィルターは空気に含まれている汚染物質をろ過する機能の他に、様々な付加的な機能を行うことができるものであって、排出される空気にビタミン成分を含ませるビタミンフィルターなどを含んでもよい。
【００６０】
その他に、上記フィルター部１１０は、多様な種類のフィルターを含んでもよく、図１に示されたフィルターの個数に限定されない。
【００６１】
除湿部１２０は、上記流入される空気中に含まれている水蒸気を除去することができる。上記除湿部１２０は流入される空気を冷却し、上記空気が含む水蒸気の量を減らす冷却方式を利用するものであってもよい。
【００６２】
具体的には、上記除湿部１２０は、液相の冷媒を蒸発させる蒸発器１２１と、上記蒸発器１２１で蒸発した気相の冷媒を圧縮する圧縮機１２２と、上記圧縮機１２２で圧縮した冷媒を凝縮させて上記蒸発器１２１に再循環させる凝縮器１２３と、を含み、上記送風ファン１３０により流入される空気中の湿度を調節することができる。
【００６３】
上記除湿部１２０の動作原理について説明すると、蒸発器１２１は、液相の冷媒が蒸発して気相になる過程において、周辺の熱を吸収することにより周辺空気が冷却し、圧縮機１２２は、蒸発器１２１で蒸発した気相冷媒を吸い込む作用、及びその冷媒を凝縮器１２３の飽和圧力まで高めて吐出する作用をし、圧縮機１２２を通過しながら冷媒は高温高圧状態になることができる。また、凝縮器１２３は、圧縮機１２２で圧縮した高温高圧の冷媒をそれより低い温度の周辺空気と熱交換させることにより、常温高圧に凝縮されて再液化されるようにするため、液化した冷媒は、通常の凝縮温度より低い過冷却液体となって凝縮器１２３から吐出される。
【００６４】
一方、凝縮器１２３から吐出される液相冷媒は、膨脹弁（不図示）を通過しながら圧力が低くなって蒸発しやすい状態となる。該低圧の液相冷媒は、蒸発器１２１に再循環されて蒸発器１２１周辺の空気を冷却させるが、この過程で空気中に含まれている水蒸気が蒸発器１２１の表面に凝結されてドレンホース（不図示）を通じて排出され空気中の湿度が低くなる。このように大きく蒸発器１２１−圧縮機１２２−凝縮器１２３からなる除湿部１２０によって、空気が蒸発器１２１と凝縮器１２３を経て室内に送風され、その室内空気が再び蒸発器１２１に流入される循環過程を繰り返しながら室内が除湿される。ここで、上記圧縮機１２２は、電気モータを利用して上記冷媒を圧縮するものであってもよく、上記圧縮機１２２、即ち、電気モータの動作は制御部１４０により制御されてもよい。
【００６５】
送風ファン１３０は、モータにより回転するもので、外部の空気を内部に流入させることができる。具体的には、上記送風ファン１３０により流入された空気は、図示されたように、フィルター部１１０と除湿部１２０を通過する。上記送風ファン１３０を回転させるモータは、上記圧縮機１２２を動作させる電気モータとは別途のモータであってもよい。上記送風ファン１３０の回転速度は、上記制御部１４０により制御されることができ、上記回転速度によって上記除湿空気清浄機の内部に流入される外部空気の量が変わる。
【００６６】
上記除湿空気清浄機は、上記除湿部１２０を利用せずに上記フィルター部１１０を利用して空気中の汚染物質を除去する清浄モード、または上記除湿部１２０を利用して空気中の水蒸気を除去する除湿モードで動作することができる。ここで、上記送風ファン１３０の回転速度は、上記除湿空気清浄機のモードに応じて変わってもよく、特に、上記除湿空気清浄機が清浄モードで動作するときには、一般的な除湿モードで動作するときより高い回転速度で動作することができる。
【００６７】
例えば、上記清浄モードでの上記送風ファン１３０の回転速度は３００ｒｐｍ〜１０００ｒｐｍの範囲で設定されてもよく、上記除湿モードでは４００ｒｐｍ〜６５０ｒｐｍの回転速度を有することができる。除湿部１２０の除湿能力は、上記除湿部１２０に供給される外部空気の量によって変わり、過度に少ないか、過度に多い量の外部空気が供給されると、上記除湿部１２０の除湿能力が著しく低下する恐れがある。従って、上記除湿モードで動作するときには、上記送風ファン１３０の回転速度を、上記清浄モードより狭い範囲で設定することができる。
【００６８】
上記清浄モードには、使用者が求める風量に応じて上記送風ファン１３０の回転速度を設定し、上記送風ファン１３０により流入される空気中の汚染物質を上記フィルター部１１０で除去する一般清浄モードがあってもよく、それぞれの機能により設定される送風ファン１３０の回転速度に応じて上記送風ファン１３０を動作させて上記機能を行う機能清浄モードがあってもよい。上記機能清浄モードは、例えば、黄砂モード、洗濯物乾燥モード、夜間就寝モードなどがあってもよい。
【００６９】
上記黄砂モードの場合、室内に流入された黄砂及び上記黄砂に含まれている各種重金属、細菌などの有害物質などが速やかに除去できるように上記送風ファン１３０の回転速度が設定されてもよい。即ち、上記黄砂モードの場合には、上記送風ファン１３０の回転速度を高い回転速度に設定して上記汚染物質を速やかに除去させることができる。逆に、上記夜間就寝モードは、使用者が上記除湿空気清浄機に静粛性を求めるモードであるため、上記除湿空気清浄機の動作による騒音が殆ど発生しないように上記送風ファン１３０の回転速度を低い回転速度に設定するものであってもよい。即ち、上記機能清浄モードは、上記求められるそれぞれの機能に適するように上記送風ファン１３０の回転速度が予め設定されているものであってもよい。
【００７０】
また、清浄モードで動作中に空気中の湿度が基準湿度（例えば、５０％）以上になると、上記除湿モードが作動し、上記除湿部１２０の除湿動作により湿度が基準湿度未満に落ちると、再び上記清浄モードに戻る、自動モードで動作することも可能である。
【００７１】
その他にも、上記送風ファン１３０は制御部１４０が行うそれぞれの機能に応じて回転速度が制御されてもよい。具体的には、風量制御、除霜、熱交換器乾燥、過負荷制御、圧縮機起動騒音低減制御に関して回転速度が設定されてもよい。上記それぞれの機能に応じて送風ファン１３０の回転速度を設定する具体的なアルゴリズムについては後述する。
【００７２】
センサー部Ｓ１、Ｓ２、Ｓ３は、空気の湿度値を測定する湿度センサーＳ１と、空気中の埃量を測定する埃センサーＳ２と、照度値を測定する照度センサーＳ３と、を含んでもよく、上記測定した湿度値、埃量及び照度値を制御部１４０に伝達することができる。図示しなかったが、上記センサー部は、上記蒸発器１２１の表面温度及び湿度を測定するセンサーをさらに含んでもよい。その他に多様な種類のセンサーが上記センサー部にさらに含まれてもよい。
【００７３】
制御部１４０は、行われる多様な機能に応じて上記送風ファン１３０の回転速度を調節することができ、上記回転速度の調節のために、上記センサー部から湿度値、埃量、照度値などの送信を受けることができる。具体的には、上記制御部１４０は風量制御、除霜、熱交換器乾燥、過負荷制御、圧縮機起動騒音低減制御などの多様な機能を行うことができ、上記制御部１４０の具体的な制御アルゴリズムについては後述する。
【００７４】
上述した図１のような構成によると、上記フィルター部１１０と除湿部１２０は分離されているため、上記除湿空気清浄機は、組み立て及び管理が容易であるという技術的効果がある。また、流入された空気が排出される経路Ｐ上において、ヘパフィルター１１３が除湿部１２０の前段に位置することにより、上記除湿部１２０の熱交換器１２１、１２３に埃が積もることを防止できる技術的効果がある。
【００７５】
一方、図２は本発明の他の実施形態による除湿空気清浄機を示す概略図である。図２を参照すると、図１と異なって、除湿部１２０を中心に第１フィルター部１１０Ａと第２フィルター部１１０Ｂが分離された構造であるという特徴を有する。従って、送風ファン１３０により流入された空気は、経路Ｐから分かるように、第１フィルター部１１０Ａ−除湿部１２０−第２フィルター部１１０Ｂの順に通過する。特に、脱臭フィルター１１４が除湿部１２０の後段に配置されるため、上記除湿部１２０の熱交換器１２１、１２３による臭いが除去された後に空気が吐出されることができる。従って、図１に比べて、室内空気がさらに快適になることができる。また、経路Ｐから分かるように、ヘパフィルター１１３０の前段に脱臭フィルター１１４が配置されるため、ヘパフィルター１１３に臭いがしみることを防止できる技術的効果がある。さらに、ヘパフィルター１１３は、除湿部１２０の後段に配置されるため、除湿された乾燥した空気がヘパフィルター１１３を通過し、特に、夏にヘパフィルター１１３の性能が低下することを防止できる技術的効果がある。
【００７６】
また、図３は本発明の他の実施形態による除湿空気清浄機を示す概略図である。図２と異なって、除湿部１２０のうち熱交換器１２１、１３０が、送風ファン１３０により流入された空気が排出される経路Ｐに垂直する平面上に配置される構造を有する。一方、図２と類似して、除湿部１２０を中心に第１フィルター部１１０Ａと第２フィルター部１１０Ｂが分離される構造を有するため、上記図２で説明したような長所を有することができる。
【００７７】
また、図４は本発明の他の実施形態による除湿空気清浄機を示す概略図である。図１と異なって、除湿部１２０のうち凝縮器１２１と蒸発器１２３が、送風ファン１３０により流入された空気が排出される経路Ｐに垂直する平面上に配置される構造を有する。一方、図１と類似して、除湿部１２０の前段に第１フィルター部１１０Ａと第２フィルター部１１０Ｂをともに備えたフィルター部１１０が配置されてもよい。従って、図１で説明したような長所を有することができる。
【００７８】
一方、図５は本発明の一実施形態による除湿空気清浄機の制御方法を説明するフローチャートであり、特に、照度センサーＳ３で測定した照度値を利用して制御する場合である。図５で説明する制御方法は、上述した図１から図４の構成を有する全ての装置に適用されてもよいことは言うまでもない。
【００７９】
図１から図５を参照すると、先ず、センサー部Ｓ１、Ｓ２、Ｓ３は、照度値（Ｌ０）、湿度値（Ｈ０）、埃量（Ｄ０）を測定する（Ｓ５００）。測定した照度値（Ｌ０）、湿度値（Ｈ０）、埃量（Ｄ０）は制御部１４０に伝達される。
【００８０】
その後、制御部１４０は、測定した照度値（Ｌ０）と基準照度（Ｌ１）を比較する（Ｓ５１０）。比較の結果、測定した照度値（Ｌ０）が基準照度（Ｌ１）以上のときは、昼と判断してＳ５０２に進み、測定した照度値（Ｌ０）が基準照度（Ｌ１）未満のときは、夜と判断してＳ５０５に進む。ここで、基準照度（Ｌ１）は、夜と昼を区分する基準となる照度値を意味する。
【００８１】
それから、Ｓ５０２において、制御部１４０は、測定した湿度値（ＨＯ）を基準湿度（Ｈ１）と比較する。比較の結果、測定した湿度値（ＨＯ）が基準湿度（Ｈ１）以上のときは、湿度が高いと判断してＳ５０３に進み、測定した湿度値（ＨＯ）が基準湿度（Ｈ１）未満のときは、Ｓ５０８に進む。
【００８２】
Ｓ５０３は、昼であると同時に湿度の高い環境で送風ファン１３０を制御する場合である。具体的には、制御部１４０は、測定した湿度値（Ｈ０）に応じて送風ファン１３０の回転速度を制御することができ、上記送風ファンの回転速度は既設定のＲＰＭ値の何れか一つを有するように制御されてもよい。例えば、測定した湿度値（Ｈ０）が基準湿度より３０％以上高いときは、Ｒ５のＲＰＭに送風ファン１３０を制御し、測定した湿度値（Ｈ０）が基準湿度より２０％以上３０％未満のときはＲ６のＲＰＭに送風ファン１３０を制御し、測定した湿度値（Ｈ０）が基準湿度より１０％以上２０％未満のときはＲ７のＲＰＭに送風ファン１３０を制御することができる。ここで、Ｒ５＞Ｒ６＞Ｒ７の関係であることができる。特に、制御部１４０は、送風ファン１３０を特定ＲＰＭ（Ｒ５、Ｒ６、Ｒ７のうち一つ）に制御した後、一定時間、例えば、３秒後に除湿部１２０の圧縮機１２２に電源を印加することができる（Ｓ５０４）。このように送風ファン１３０を制御した後に一定時間放置することで、送風ファン１３０が定常状態（ｓｔｅａｄｙ  ｓｔａｔｅ）のＲＰＭで回転された後に除湿部１２０を動作させることができる。
【００８３】
特に、このように上記送風ファン１３０を予め動作させた後に上記除湿部１２０を動作させると、上記除湿部１２０の圧縮機１２２が起動する際に発生する特有の騒音が上記送風ファン１３０による騒音で消されることができる。この場合、上記圧縮機１２２の動作による急な騒音及び振動に使用者が驚くなどの問題を防止することができる。
【００８４】
上述した湿度値（基準湿度、１０％、２０％、３０％）は例示に過ぎず、必要に応じて変更実施できることは言うまでもない。また、本発明の他の実施形態によると、先ず、圧縮機１２２に電源を印加し（Ｓ５０４）、その後、上記送風ファン１３０の回転速度を制御（Ｓ５０３）することもできる。
【００８５】
一方、Ｓ５０８は、昼であると同時に湿度の低い環境で送風ファン１３０を制御する場合である。この場合、制御部１４０は圧縮機１２２の電源をオフにするが、その理由は、測定した湿度値（Ｈ０）が基準湿度（Ｈ１）より低いため、除湿部１２０を動作させる必要がないためである。従って、この場合、制御部１４０は測定した埃量（Ｄ０）に比例して送風ファン１３０の回転速度を制御し空気清浄動作を行う（Ｓ５０９）。例えば、測定した埃量（Ｈ０）が基準埃量（Ｄ１）より高いときには、Ｒ１のＲＰＭに送風ファン１３０を制御する。測定した埃量（Ｄ０）が基準埃量（Ｄ１）に比べて、一定比率で少なくなるにつれて、Ｒ２、Ｒ３、Ｒ４のように漸次低いＲＰＭに送風ファン１３０を制御することができる。ここで、Ｒ１＞Ｒ２＞Ｒ３＞Ｒ４の関係であることができる。
【００８６】
一方、Ｓ５０５において、制御部１４０は、測定した照度値（Ｌ０）が基準照度（Ｌ１）未満のとき（例えば、夜の場合）、測定した湿度値（Ｈ０）と基準湿度（Ｈ１）を比較する。比較の結果、測定した湿度値（Ｈ０）が基準湿度（Ｈ１）以上のときはＳ５０６に進み、測定した湿度値（Ｈ０）が基準湿度（Ｈ１）未満のときはＳ５０７に進むことができる。
【００８７】
Ｓ５０６は、夜であると同時に湿度の高い環境で送風ファン１３０を制御する場合である。この場合、制御部１４０は、上記除湿部１２０を動作させて、湿度値に応じて設定された多段のＲＰＭ（Ｒ５〜Ｒ７）のうち最低段のＲＰＭであるＲ７に送風ファン１３０を制御することができる。即ち、夜には、使用者が就寝するため、上記除湿空気清浄機で発生する騒音を最小化する就寝モードで除湿動作を行うことができる。
【００８８】
Ｓ５０７は、夜であると同時に湿度の低い環境で送風ファン１３０を制御する場合であり、制御部１４０は埃量に応じて設定された多段のＲＰＭ（Ｒ１〜Ｒ４）のうち最低段のＲＰＭであるＲ４に送風ファン１３０を制御することができる。即ち、上記送風ファン１３０の回転による騒音を最小化する就寝モードで空気清浄動作を行う。
【００８９】
一方、制御部１４０は、除湿部１２０の駆動が終了した後にも、一定時間送風ファン１３０が駆動するように制御することができる。即ち、上記除湿部１２０に残っている水気を乾かすために、上記送風ファン１３０で上記除湿部１２０に外部空気を供給し、残っている水気の蒸発を促すことができる。具体的には、除湿動作後に蒸発器１２１の表面など除湿部１２０に残っている水気を除去しないと、上記除湿空気清浄機の内部に細菌、カビなどが繁殖することがあり、これにより除湿空気清浄機の内部が汚染されて不快な臭いが発生するなどの問題が生じ得る。そのため、上記制御部１４０は、上記除湿部１２０の動作が終了した後にも一定時間上記送風ファン１３０を駆動させて上記除湿部１２０に残っている水気を除去することができる。
【００９０】
上述のように、測定した湿度値（Ｈ０）が高い場合でも、測定した照度値（ＬＯ）が基準照度（Ｌ１）未満のとき、例えば、夜のような環境では送風ファン１３０を最低段のＲＰＭに制御することで、騒音を減らすことができるため、快適な室内環境を保持することができる。
【００９１】
図６は本発明の他の実施形態による除湿空気清浄機の制御方法を説明するフローチャートであり、上記除湿空気清浄機を除湿機能だけで動作させる場合のフローチャートである。図６で説明した制御方法は、上述した図１から図４の構成を有する全ての装置に適用できることは言うまでもない。
【００９２】
図６を参照すると、先ず、センサー部Ｓ１、Ｓ２、Ｓ３は、照度値（Ｌ０）と湿度値（Ｈ０）を測定する（Ｓ６００）。測定した照度値（Ｌ０）と湿度値（Ｈ０）は制御部１４０に伝達される。
【００９３】
その後、制御部１４０は、測定した照度値（Ｌ０）と基準照度（Ｌ１）を比較する（Ｓ６０１）。比較の結果、測定した照度値（Ｌ０）が基準照度（Ｌ１）以上のときは、昼と判断してＳ６０１に進み、測定した照度値（Ｌ０）が基準照度（Ｌ１）未満のときはＳ６１０に進む。ここで、基準照度（Ｌ１）は、夜と昼を区分する基準となる照度値を意味する。
【００９４】
それから、Ｓ６０２において、制御部１４０は、測定した湿度値（ＨＯ）を基準湿度（Ｈ１）と比較する。比較の結果、測定した湿度値（ＨＯ）が基準湿度（Ｈ１）以上のときは、湿度が高いと判断してＳ６０３に進み、測定した湿度値（ＨＯ）が基準湿度（Ｈ１）未満のときはＳ６２０に進む。
【００９５】
Ｓ６０３は、昼であると同時に湿度の高い環境で送風ファン１３０を制御する場合である。具体的には、制御部１４０は、測定した湿度値（Ｈ０）に応じて送風ファン１３０を多段のＲＰＭ（Ｒ５〜Ｒ７）で制御する。例えば、測定した湿度値（Ｈ０）が基準湿度より３０％以上高いときはＲ５のＲＰＭに送風ファン１３０を制御し、測定した湿度値（Ｈ０）が基準湿度より２０％以上３０％未満のときはＲ６のＲＰＭに送風ファン１３０を制御し、測定した湿度値（Ｈ０）が基準湿度より１０％以上２０％未満のときはＲ７のＲＰＭに送風ファン１３０を制御することができる。ここで、Ｒ５＞Ｒ６＞Ｒ７の関係であることができる。特に、制御部１４０は、送風ファン１３０を特定ＲＰＭ（Ｒ５、Ｒ６、Ｒ７のうち一つ）に制御した後、一定時間、例えば、３秒後に除湿部１２０の圧縮機１２２に電源を印加することができる（Ｓ６０４）。このように送風ファン１３０を制御した後、一定時間放置することで、送風ファン１３０が定常状態のＲＰＭで回転した後、上記除湿部１２０が動作するようにすることができる。上述した湿度値（基準湿度、１０％、２０％、３０％）は例示に過ぎず、必要に応じて変更実施できることは言うまでもない。
【００９６】
Ｓ６２０は、昼であると同時に湿度の低い環境で送風ファン１３０を制御する場合である。この場合、制御部１４０は圧縮機１２０の電源をオフにするが、その理由は測定した湿度値（Ｈ０）が基準湿度（Ｈ１）より低いため、除湿部１２０を動作させる必要がないためである。
【００９７】
一方、制御部１４０は、測定した照度値（Ｌ０）が基準照度（Ｌ１）未満のとき（例えば、夜の場合）、測定した湿度値（Ｈ０）と基準湿度（Ｈ１）を比較する（Ｓ６１０）。比較の結果、測定した湿度値（Ｈ０）が基準湿度（Ｈ１）以上のときはＳ６１１に進み、測定した湿度値（Ｈ０）が基準湿度（Ｈ１）未満のときはＳ６１２に進むことができる。
【００９８】
Ｓ６１１は、夜であると同時に湿度の高い環境で送風ファン１３０を制御する場合である。この場合、制御部１４０は、湿度値に対して設定された多段のＲＰＭ（Ｒ５〜Ｒ７）のうち最低段のＲＰＭであるＲ７に送風ファン１３０を制御することができる。
【００９９】
Ｓ６１２は、夜であると同時に湿度の低い環境で送風ファン１３０を制御する場合である。この場合、制御部１４０は圧縮機１２２の電源をオフにするが、その理由は、測定した湿度値（Ｈ０）が基準湿度（Ｈ１）より低いため、除湿部１２０を動作させる必要がないためである。
【０１００】
一方、制御部１４０は、上記除湿部１２０の動作が終了した後にも、一定時間送風ファンが駆動するように制御することができる。このように制御することで、除湿部１２０に残っている水気を乾かすことができる。
【０１０１】
図７は、本発明の他の実施形態による除湿空気清浄機の制御方法を説明するフローチャートであり、上述した装置を清浄機能だけで動作させる場合のフローチャートである。図７で説明した制御方法が、上述した図１から図４の構成を有する全ての装置に適用できることは言うまでもない。
【０１０２】
図７を参照すると、先ず、センサー部Ｓ１、Ｓ２、Ｓ３は、照度値（Ｌ０）と埃量（Ｄ０）を測定する（Ｓ７００）。測定した照度値（Ｌ０）と埃量（Ｄ０）は制御部１４０に伝達される。
【０１０３】
その後、制御部１４０は測定した照度値（Ｌ０）と基準照度（Ｌ１）を比較する（Ｓ７０１）。比較の結果、測定した照度値（Ｌ０）が基準照度（Ｌ１）以上のときは、昼と判断してＳ７０２に進み、測定した照度値（Ｌ０）が基準照度（Ｌ１）未満のときは、Ｓ７０４に進む。ここで、基準照度（Ｌ１）は夜と昼を区分する基準となる照度値を意味する。
【０１０４】
それから、Ｓ７０２において、制御部１４０は、測定した埃量（ＤＯ）と基準埃量（Ｄ１）を比較する。比較の結果、測定した埃量（ＤＯ）が基準埃量（Ｄ１）以上のときは、埃量が多いと判断してＳ７０３に進み、測定した埃量（ＤＯ）が基準埃量（Ｄ１）未満のときは終了する。
【０１０５】
Ｓ７０３は、昼であると同時に埃量の多い環境で送風ファン１３０を制御する場合である。具体的には、制御部１４０は、測定した埃量（Ｄ０）に応じて送風ファン１３０を多段のＲＰＭ（Ｒ１〜Ｒ４）で制御する。例えば、測定した埃量（Ｄ０）が基準埃量（Ｄ１）より高いときはＲ１のＲＰＭに送風ファン１３０を制御する。また、測定した埃量（Ｈ０）が基準埃量（Ｄ１）に比べて、一定比率で少なくなるにつれ、Ｒ２、Ｒ３、Ｒ４のように漸次低いＲＰＭに送風ファン１３０を制御することができる。ここで、Ｒ１＞Ｒ２＞Ｒ３＞Ｒ４の関係であることができる。
【０１０６】
一方、Ｓ７０４は、夜であると同時に測定した埃量（Ｄ０）が基準埃量（Ｄ１）未満の環境で送風ファン１３０を制御する場合である。この場合、制御部１４０は、埃量に対して設定された多段のＲＰＭ（Ｒ１〜Ｒ４）のうち最低段のＲＰＭ（Ｒ４）に送風ファン１３０を制御する。
【０１０７】
上述のように、本発明の一実施形態によると、照度値に応じて送風ファン１３０のＲＰＭを適切に制御することで、周辺環境、例えば、就寝モードが適用される夜に騒音を減らすことができ、快適な室内環境を保持することができるという技術的効果がある。また、本発明の他の実施形態によると、上述した制御方法を多様な構造を有する装置に適用でき、特に、ヘパフィルター及び脱臭フィルターを除湿部の後段に配置することで、ヘパフィルター及び脱臭フィルターの性能低下及び寿命短縮を防止できるという技術的効果がある。
【０１０８】
一方、上記制御部１４０は、上述した機能を含んで多様な機能を行うことができ、具体的には、風量制御、除霜、熱交換器の乾燥、過負荷制御及び圧縮機起動騒音低減などの機能を行うことができる。以下、上記それぞれの機能を行うための上記制御部１４０の動作について具体的に説明する。
【０１０９】
先ず、風量制御について説明する。
【０１１０】
制御部１４０は、上記除湿部１２０の駆動なしに上記送風ファン１３０の回転速度を調節して上記汚染物質をろ過する清浄モードの動作中に、上記除湿部１２０を動作させる除湿動作信号が入力されると、上記清浄モードの種類に応じて上記除湿部１２０の動作有無及び上記送風ファン１３０の回転速度を再設定することができる。即ち、上記除湿空気清浄機が上記清浄モードで動作しているとき、上記外部空気の湿度が基準湿度値以上であるか、または使用者の入力などによって上記除湿部１２０を動作させる除湿動作信号が上記制御部１４０に入力されることができる。
【０１１１】
上述したように、上記除湿空気清浄機の送風ファン１３０が有する回転速度の動作範囲は、一般的な除湿装置が有する回転速度の範囲より広いため、上記清浄モードで動作する際、上記送風ファン１３０の回転速度が上記除湿装置の回転速度の範囲から外れていることがあり得る。この場合、上記送風ファン１３０の回転速度を、上記清浄モードで設定した速度に合わせるか、それとも上記除湿動作信号に合わせるかが問題となる。
【０１１２】
上記送風ファン１３０の回転速度を上記清浄モードで設定した速度に合わせると、上記送風ファン１３０の回転速度が速すぎて上記除湿部１２０での除湿効果が著しく低下する恐れがあり、逆に、上記送風ファン１３０の回転速度を上記除湿動作信号に応じて設定するときには、特に、機能清浄モードにおける上記送風ファン１３０の回転速度が変わることで、上記機能清浄モードによって得ようとした効果が得られなくなる恐れがある。
【０１１３】
これを防止するために、上記制御部１４０は、上記清浄モードを一般清浄モードと機能清浄モードに区分し、一般清浄モードであれば、上記除湿動作信号に応じて上記除湿部１２０の動作及び上記送風ファン１３０の回転速度を設定し、上記清浄モードが機能清浄モードであれば、上記機能清浄モードによる動作を保持することができる。
【０１１４】
上記一般清浄モードは、使用者などが設定した風量で流入される空気に対する空気浄化を行うモードであって、上記風量によってのみ得られる別途の機能や効果はないとみることができる。また、上記除湿動作信号の入力は、現在除湿動作を行う必要があることを意味するため、上記除湿機能を優先的に行う必要がある。従って、上記一般清浄モードで動作するときに上記除湿動作信号が入力されると、上記除湿部１２０を利用して上記除湿機能を行うことができ、上記除湿動作信号に応じて上記送風ファン１３０の動作速度を除湿動作速度に再設定することができる。
【０１１５】
一方、上記機能清浄モードは、既設定の機能（黄砂モード、洗濯物乾燥モード、就寝モードなど）を行うためのものであって、上記送風ファン１３０の回転速度及びそれによる風量は、上記それぞれの機能を行うためには必須である。従って、上記機能清浄モードでは、上記除湿動作信号に係らず上記機能清浄モードで設定された送風ファン１３０の回転速度をそのまま保持させることができる。
【０１１６】
また、上記除湿部１２０の動作と関連して、上記除湿動作信号による送風ファン１３０の回転速度と上記機能清浄モードで設定された上記送風ファン１３０の回転速度には差があるため、上記機能清浄モードで設定された上記送風ファン１３０の回転速度の状態で上記除湿部２０を動作させると、上記除湿部１２０における除湿効果が著しく低下する恐れがある。これは、除湿効果を期待していた上記除湿空気清浄機の使用者の信頼度に悪影響を及ぼすため、上記機能清浄モードでは上記除湿機能を提供しないようにすることができる。
【０１１７】
ここで、上記除湿モードになってから、上記除湿動作により上記外部空気の湿度が上記基準湿度値未満に落ちることがある。この場合、上記制御部１３０は、上記除湿動作を中断し、再び上記清浄モードに復帰することができ、このとき、上記送風ファン１３０の回転速度は、上記埃センサーＳ２が測定した外部空気中の汚染物質の量に応じて再設定されてもよい。
【０１１８】
さらに、上記制御部１４０は、照度センサーＳ３から外部の照度値の入力を受け、上記照度値が既設定値以下であれば、就寝モードで動作して上記除湿部１２０の動作を中断させることができる。上記制御部１４０は、上記照度センサーＳ３が測定した外部照度値の入力を受けることができ、これを利用することで、上記除湿空気清浄機の外部の明るさが分かる。
【０１１９】
上記外部照度値が既設定値以下であれば、周辺が暗くなったと判断して上記除湿空気清浄機が就寝モードで動作することができ、上記就寝モードは、上記除湿空気清浄機から発生する騒音を最小限にして動作するモードであってもよい。ここで、上記除湿空気清浄機から発生する騒音において最も大きな比重を占めるのは、上記送風ファン１３０の回転による騒音、及び電気モータを利用して上記除湿部１２０の圧縮機１２２が冷媒を圧縮する音である。
【０１２０】
従って、上記制御部１４０は、上記就寝モードに該当するときには、上記除湿部１２０、具体的には、上記圧縮機１２２の動作を中断させることができ、上記送風ファン１３０の回転速度も既設定の静音速度以下で動作するように設定することができる。
【０１２１】
但し、使用者が直接、上記除湿動作信号を入力したときには、上記照度センサーＳ３の外部照度値が上記既設定値以下のときでも、上記就寝モードで動作しなくてもよい。即ち、この場合には、空気中の水蒸気を除去するとの使用者の意思で、上記除湿部１２０を動作させて除湿機能を行うことができる。
【０１２２】
具体的には、上記除湿空気清浄機は、使用者が直接除湿動作信号を入力して上記除湿空気清浄機が除湿動作を行うようにする受動モードと、使用者が目標湿度を入力すると、室内湿度を測定して上記測定した室内湿度が上記目標湿度より高いと、自動的に除湿動作を行う自動モードと、で動作することができる。従って、上記除湿空気清浄機が上記自動モードで動作しているときには、上記就寝モードで動作することができるが、上記除湿空気清浄機が上記受動モードで動作しているときには、上記就寝モードで動作せずに除湿機能を行うようにすることができる。
【０１２３】
次に、除霜について説明する。
【０１２４】
低温の環境で上記除湿空気清浄機が除湿動作を行うときには、上記蒸発器１２１で凝結した空気中の水蒸気が上記蒸発器１２１の表面で凍りつくことがある。即ち、上記蒸発器１２１の表面に霜が形成されることがあり、上記霜により蒸発器１２１の除湿能力が低下するなどの問題が発生する恐れがある。
【０１２５】
従来では、上記蒸発器１２１に形成された霜を除去するために送風ファン１３０の動作を中断し、圧縮機１２２で作られた熱い冷媒を直接蒸発器１２１にバイパス（ｂｙｐａｓｓ）する方式で霜を除去した。しかし、熱い冷媒を直接蒸発器１２１にバイパスするためには、別途の更なる構成が必要であり、熱い冷媒で霜を除去（除霜）する場合は、異常騒音が発生し、使用者に故障であるとの誤解を招く恐れがあるなどの問題点があった。
【０１２６】
そのため、上記制御部１３０は、上記蒸発器１２１に形成された霜を除去する除霜モードへの転換有無を決め、上記除霜モードに該当すると、上記圧縮機１２２の電源を遮断し、上記送風ファン１３０の回転速度を除霜駆動速度に増加させる方式で上記霜を除去することができる。
【０１２７】
先ず、上記制御部１４０は、蒸発器１２１の表面温度を測定する温度センサーから温度信号の入力を受け、上記入力された温度信号が除霜基準温度以下であれば、上記除霜モードに転換することができる。ここで、上記温度信号が除霜基準温度以下で基準時間以上保持される場合には、上記除霜モードに転換したり、既設定の周期ごとに繰り返して上記除霜モードに転換して除霜動作を行うようにすることも可能である。さらに、一般的には、上記温度信号に基づいて除霜モードの転換有無を決め、上記温度信号が入力されないか、入力された温度信号が既設定の範囲から外れる場合には、上記既設定の周期ごとに除霜モードに転換するようにすることができる。これは、上記温度信号が入力されないか、入力された温度信号が既設定の範囲から外れる場合には、上記温度信号を生成する温度センサーに異常があると判断することができるためである。
【０１２８】
例えば、上記蒸発器１２１の表面温度を測定する温度センサーが測定した上記蒸発器１２１の表面温度が除霜基準温度（例えば、−１度）以下で基準時間（例えば、５秒）以上保持されると、上記除霜モードに転換することができる。即ち、上記蒸発器１２１が除霜基準温度より低い温度で一定時間以上保持されると、上記蒸発器で液化した外部空気の水蒸気が上記蒸発器の表面で凍って上記霜が発生することがある。
【０１２９】
上記除霜モードになると、上記制御部１４０は上記圧縮機１２２の電源を遮断して上記冷媒の相変化（ｐｈａｓｅ  ｃｈａｎｇｅ）を中断させることができる。上記冷媒の相変化がないと、上記蒸発器１２１ではそれ以上水蒸気の凝結が発生しないため、上記蒸発器１２１における更なる霜形成を防止することができる。
【０１３０】
その後、上記送風ファン１３０の回転速度を、除湿動作時に使用する除湿動作速度より早い除霜駆動速度に高めることができる。上記送風ファン１３０の回転速度を上げると、多量の外部空気が上記蒸発器１２１に流入されることができる。ここで、上記外部空気は、上記蒸発器１２１の表面温度より高温であることができるため、上記外部空気が上記蒸発器１２１に熱を伝達することができ、上記霜は、上記送風ファン１３０が供給する外部空気との接触が多くなって上記霜から水蒸気に昇華する場合も増加する。従って、上記蒸発器１２１の温度が高くなり、上記蒸発器１２１の表面に形成された霜は温度が高くなるにつれて無くなる。
【０１３１】
従って、更なる構成を含まなくても除霜機能を行うことができ、圧縮機１２２の電源を遮断した状態で除霜機能を行うため、エネルギーを節減する効果も有することができる。また、この場合、送風ファン１３０の回転速度を増加させて除霜するため、上記送風ファン１３０の動作による騒音が発生するだけで、他に異常騒音を発生させないという効果がある。
【０１３２】
その後、上記制御部１４０は、上記除霜モードで動作しているときに上記温度信号が除霜基準温度より高くなると、上記圧縮機１２２に電源を供給し、上記送風ファン１３０の回転速度を再び除湿動作速度に減速することができる。上記除霜モードで動作し上記蒸発器１２１の表面に生成された霜を除去した後には、再び外部空気の湿気を除去する除湿モードで動作させる必要がある。従って、上記温度センサーが測定した上記蒸発器１２１の表面温度が除霜基準温度より高くなると、上記除霜モードから除湿モードに転換することができる。即ち、上記温度センサーを利用して上記蒸発器１２１の温度をモニタリングすることができ、上記蒸発器１２１の温度が上記除霜基準温度より高くなると、上記除霜モードにより上記蒸発器１２１に形成された霜が全て除去されたと判断し、再び上記除湿モードに復帰させることができる。
【０１３３】
上記除湿モードに復帰させるために、上記圧縮機１２２に電源を供給し、上記送風ファン１３０の回転速度を除湿動作速度に減少させることができる。上記圧縮機１２２に電源が供給されると、上記冷媒の連続的な相変化が再開されるため、上記蒸発器１２１に流入された空気の冷却及び水蒸気の凝結が再び行われることができる。また、上記蒸発器１２１に流入される空気内に含まれている水蒸気を効果的に除去するために、上記送風ファン１３０の回転速度を除湿動作速度に減少させることができる。
【０１３４】
次に、熱交換器の乾燥について説明する。
【０１３５】
除湿空気清浄機の除湿動作が中断されると、上記除湿部１２０の熱交換器１２１、１２３には湿気が残存するようになる。上記熱交換器１２１、１２３の内部に残存する湿気を直ちに除去しないと、細菌、カビなどの繁殖の原因となる可能性があり、上記細菌、カビなどの繁殖によって内部が汚染されて不快な臭いが誘発されるなどの問題が発生する恐れがある。
【０１３６】
従って、上記制御部１４０は、上記除湿部１２０のうち特に熱交換器１２１、１２３に残存する水分を除去する熱交換器乾燥モードへの転換有無を決め、上記熱交換器乾燥モードに該当すると、上記送風ファン１３０の動作を制御して上記熱交換器１２１、１２３に外部空気を提供することができる。
【０１３７】
先ず、上記熱交換器乾燥モードへの該当有無は、上記圧縮機１２２の動作を中断する制御信号が上記制御部１４０に入力されたか否かにより決まる。
【０１３８】
上記熱交換器乾燥モードは、使用者が上記除湿装置の除湿機能を中断させた場合、上記熱交換器１２１、１２３を直ちに乾燥させて上記除湿部１２０における細菌、カビなどの繁殖を防止するための動作モードである。即ち、除湿機能の中断と同時に上記熱交換器１２１、１２３を乾燥させることで、後に上記除湿空気清浄機を駆動したときに、上記細菌、カビなどによる不快な臭いの発生を防止することができる。従って、上記熱交換器乾燥モードは、上記除湿機能が中断された後に行わなければならないため、上記除湿機能が中断されたか否かを把握する必要がある。上記除湿機能を行うためには、冷媒の圧縮が先行されなければならないため、上記圧縮機１２２で上記冷媒を圧縮したか否かを判断することで、上記除湿機能の中断有無を把握することができる。
【０１３９】
よって、上記制御部１４０は、上記圧縮機１２２の動作を中断させる制御信号が入力されると、上記除湿機能が中断されたと判断し、上記熱交換器乾燥モードに転換することができる。
【０１４０】
但し、除湿空気清浄機は、自動モードのように、除湿動作が終了してから清浄モードで動作する場合があり得る。即ち、上記清浄モード時に使用される送風ファン１３０の回転によって上記熱交換器１２１、１２３が乾燥されることができる。従って、上記制御部１４０は、上記圧縮機１２２の動作を中断する制御信号とともに、上記送風ファン１３０の動作を中断する制御信号の入力有無を同時に考慮することができる。
【０１４１】
さらに、上記制御部１４０は、使用者の入力や予めプログラムされた動作時間の他に、上記圧縮機１２２の過負荷を防止する保護回路などからも、上記圧縮機１２２の動作を中断する制御信号の入力を受けることができる。
【０１４２】
上記熱交換器乾燥モードに転換されると、上記制御部１４０は、上記送風ファン１３０の動作速度及び動作時間を熱交換器の温度値及び熱交換器の湿度値に応じて設定することができる。
【０１４３】
具体的には、上記熱交換器の温度値及び熱交換器の湿度値がそれぞれ基準温度値及び基準湿度値より高いと、上記送風ファン１３０を第１動作速度及び第１動作時間で動作するように設定することができる。ここで、上記第１動作速度は、上記送風ファン１３０の回転速度を速さで上、中、下の３段階に区分したときに「中」に該当する動作速度であってもよく、上記第１動作時間は上記送風ファン１３０の動作時間を長さで上、中、下の３段階に区分したときに「上」に該当する動作時間であってもよい。即ち、上記熱交換器の温度値及び熱交換器の湿度値が高いときには、上記送風ファン１３０を速い速度で長時間動作させて上記熱交換器３０を充分に乾燥させることができる。
【０１４４】
次に、上記熱交換器の温度値は基準温度値より低く、上記熱交換器の湿度値が基準湿度値より高いと、上記送風ファン１３０を第２動作速度及び第２動作時間で動作するように設定することができる。ここで、上記第２動作速度は上記「下」に該当する動作速度であってもよく、上記第２動作時間は上記「中」に該当する動作時間であってもよい。
【０１４５】
最後に、上記熱交換器の温度値が基準温度値より低く、上記熱交換器の湿度値も基準湿度値より低い場合には、上記送風ファン１３０を第３動作速度及び第３動作時間で動作するように設定することができる。ここで、上記第３動作速度は上記第２動作速度と同様に「下」に該当する動作速度であってもよく、上記第３動作時間は上記「下」に該当する動作時間であってもよい。
【０１４６】
ここで、上記熱交換器の温度値は基準温度値より高いが、上記熱交換器の湿度値が基準湿度値より低い場合も考慮することができ、この場合には、上記熱交換器３０の乾燥のための動作を省略することができる。
【０１４７】
本発明の他の実施形態による制御部１４０は、上記熱交換器の湿度値だけで上記送風ファン１３０の動作速度及び動作時間を設定してもよい。即ち、上記熱交換器の湿度値を既設定の最小設定湿度値及び最大設定湿度値と比較して上記動作速度及び動作時間を設定することができる。
【０１４８】
具体的には、上記熱交換器の湿度値が上記最大設定湿度値より大きいときには、上記動作速度を「中」、動作時間を「上」にして、上記熱交換器１２１、１２３に存在する多量の湿気を確実に除去することができる。
【０１４９】
また、上記熱交換器の湿度値が上記最大設定湿度値よりは小さいが、上記最小設定湿度値より大きいときには、上記動作速度を「下」、動作時間を「中」にして、上記送風ファン１３０の動作速度及び動作時間を多少減少させて効率的に上記湿気を除去することができる。
【０１５０】
最後に、上記熱交換器の湿度値が上記最小設定湿度値より小さいときには、上記動作速度を「下」、動作時間を「下」にして、上記熱交換器１２１、１２３の少ない湿気量に合わせて上記送風ファン１３０の動作を制御することができる。
【０１５１】
次に、過負荷制御について説明する。
【０１５２】
上記除湿部１２０を利用した除湿動作の際、特に、夏のような高温の環境で除湿動作をするときには、上記熱交換器１２１、１２３での熱交換が円滑に行われないため、上記圧縮機１２２が過熱して破損したり、上記圧縮機１２２の動作が中断される恐れがある。これを防止するために、上記制御部１４０は、上記除湿部１２０にかかる過負荷を解消する過負荷モードへの転換有無を決め、上記過負荷モードに該当すると、上記送風ファン１３０の回転速度を過負荷駆動速度に増加させることができる。
【０１５３】
具体的には、上記制御部１４０は、外部の温度を測定する温度センサーで測定した上記除湿空気清浄機の外部温度または上記圧縮機１２２の電気モータに流入される供給電流のサイズを利用して上記過負荷モードへの転換有無を決めることができる。即ち、上記制御部１４０は、上記入力された外部温度値が過負荷基準温度値以上、または上記供給電流のサイズが基準電流値以上であれば、上記除湿部１２０に過負荷がかかったと判断することができる。従って、上記制御部１４０は、上記除湿部１２０に過負荷がかかったと判断されると、上記除湿空気清浄機の動作モードを過負荷モードに転換することができる。さらに、上記制御部１４０は、上記熱交換器の温度が既設定の温度値以上のときも、上記過負荷がかかったと判断して過負荷モードに転換することができる。
【０１５４】
上記過負荷モードに該当すると、上記除湿空気清浄機は、上記除湿部１２０にかかる過負荷を解消するための動作を優先的に行うことができる。具体的には、上記送風ファン１３０の回転速度を上記過負荷駆動速度に増加させることであってもよい。上記過負荷駆動速度は、一般的な除湿動作時の回転速度を超える回転速度であって、上記送風ファン１３０が上記過負荷駆動速度で動作することで、上記除湿部１２０を冷却させることができる。上記除湿部１２０、より具体的には、上記圧縮機１２２が冷却されると、上記除湿部１２０にかかった過負荷が解消されることができる。
【０１５５】
さらに、上記制御部１４０はおすすめ湿度モードで動作することができる。これは、使用者が上記除湿空気清浄機の外部に付着されることができるインターフェース部（不図示）を利用して入力するおすすめ湿度動作命令により動作されてもよい。即ち、上記使用者が上記おすすめ湿度動作命令を入力すると、上記おすすめ湿度動作信号が上記制御部１４０に入力されることができる。
【０１５６】
上記制御部１４０は、上記おすすめ湿度動作信号が入力されると、湿度センサーＳ１が測定した外部湿度値の入力を受けることができる。上記制御部１４０は、上記外部湿度値が基準湿度値、例えば、６０％を超えると、上記除湿部１２０を動作させて空気中の水蒸気を制御し、上記外部湿度値を６０％以下に減少させることができ、上記外部湿度値がおすすめ湿度範囲、例えば、４０％〜６０％の間になると、上記除湿動作を中断することができる。ここで、上記基準湿度値及びおすすめ湿度範囲は、上述した値及び範囲に制限されず、多様に設定されてもよい。
【０１５７】
最後に、圧縮機起動騒音低減制御について説明する。
【０１５８】
上記制御部１４０は、除湿動作信号が入力されると、先ず、上記送風ファン１３０の回転速度を既設定の回転速度に上昇させることができる。その後、上記回転速度が既設定の回転速度以上のときに限って、上記除湿部１２０を駆動させることができる。
【０１５９】
上記除湿空気清浄機が除湿機能を行うためには、上記送風ファン１３０及び除湿部１２０がともに動作する必要がある。ここで、上記除湿部１２０が先に動作すると、上記除湿部１２０の動作により騒音及び振動が発生し、使用者は上記除湿部１２０の動作による急な騒音及び振動に驚くことがあり、上記除湿空気清浄機の動作に異常があると判断する可能性がある。
【０１６０】
一方、通常、送風ファン１３０の回転による騒音は、上記除湿部１２０の動作による騒音より小さく、使用者も上記送風ファン１３０の回転による騒音には慣れているため、驚かずに済む。
【０１６１】
従って、上記制御部１４０は、上記除湿部１２０の動作に先立って上記送風ファン１３０を駆動させることができる。使用者は、上記送風ファン１３０の駆動による騒音によって上記空気清浄機が動作を開始したことを認知することができ、その後、上記除湿部１２０が動作して騒音及び振動が発生しても、これを上記除湿空気清浄機の正常な動作と認識することができる。また、上記送風ファン１３０の駆動による騒音に上記除湿部１２０の動作による騒音が消されて、その騒音の大きさを相対的に低く認識することができる。
【０１６２】
具体的には、上記送風ファン１３０を先に駆動させることによる効果を十分に得るためには、上記送風ファン１３０が既設定の速度以上で動作した後に、上記除湿部１２０を動作させることができる。即ち、上記送風ファン１３０の回転により発生した騒音の大きさが上記除湿部１２０により発生した騒音を消さなければならないため、上記送風ファン１３０が目標とした大きさの騒音が発生するように上記送風ファン１３０の回転速度を予め設定することができる。
【０１６３】
上記制御部１４０は、上記除湿動作信号の入力を受けてから上記送風ファン１３０を動作させることができ、上記送風ファン１３０から上記送風ファン１３０の回転速度の伝送を受け、これを上記既設定の回転速度と繰り返して比較することができる。その後、上記送風ファン１３０の回転速度が上記既設定の回転速度以上と測定されると、上記除湿部１２０が動作するように上記除湿部１２０に制御信号を伝送して上記除湿部１２０を動作させることができる。または、上記送風ファン１３０が上記既設定の回転速度まで上昇するのにかかる時間を予め設定した後、上記時間が経過すると、上記除湿部１２０が動作するようにすることができる。
【０１６４】
ここで、上記制御部１４０は、上記除湿部１２０のうち、具体的には、上記圧縮機１２２の動作を制御することができる。上述したように、上記圧縮機１２２は電気モータを利用して冷媒を圧縮する機能を行うため、上記除湿部１２０が発生させる騒音及び振動は、主に上記圧縮機１２２の電気モータによるものである。
【０１６５】
従って、上記制御部１４０は、具体的に上記送風ファン１３０の回転速度が既設定の回転速度以上のときに限って、上記圧縮機１２２を駆動させるものであってもよい。ここで、上記送風ファン１３０が既設定の回転速度で動作すると、上記圧縮機１２２が動作し始める時、即ち、上記圧縮機１２２の起動時に発生する騒音と同一であるか、より大きい騒音が発生することができる。
【０１６６】
上記制御部１４０は除湿動作信号の入力を受けることができ、上記制御部１４０は上記除湿動作信号の入力を受けると、上記除湿部１２０が除湿機能を行うように上記除湿空気清浄機を制御することができる。上記除湿動作信号は、使用者が上記除湿空気清浄機の外部に備えられたインターフェース部（不図示）を通じて入力するか、上記外部空気の湿度値が基準湿度値以上のときに入力されてもよい。
【０１６７】
上記制御部１４０は、上記圧縮機１２２が駆動された後には上記送風ファン１３０の回転速度を除湿動作速度に再設定することができる。上記圧縮機１２２が駆動を開始すると、上記圧縮機１２２が起動するときより、発生する騒音及び振動が減少することができる。従って、上記圧縮機１２２が駆動を開始すると、上記送風ファン１３０の回転速度を減少させて上記除湿動作に適する速度、除湿動作速度で回転するようにすることができる。
【０１６８】
図８は、本発明の一実施形態による除湿空気清浄機の風量制御方法を示すフローチャートである。
【０１６９】
図８を参照すると、本発明の一実施形態による除湿空気清浄機の風量制御方法は、空気清浄段階（Ｓ８１０）、除湿動作信号入力段階（Ｓ８２０）、清浄モード種類判断段階（Ｓ８３０）、除湿段階（Ｓ８４０）及び機能清浄段階（Ｓ８５０）を含んでもよい。
【０１７０】
以下、図８を参照して本発明の一実施形態による除湿空気清浄機における風量制御方法を説明する。
【０１７１】
空気清浄段階（Ｓ８１０）は、既設定の清浄モードに応じて送風ファンの回転速度を設定し、上記送風ファンの回転によって流入される外部空気中の汚染物質をろ過することができる。上記清浄モードは、一般清浄モード及び機能清浄モードがあり得る。上記一般清浄モードは、使用者が求める風量に応じて上記送風ファンの回転速度を設定し、上記送風ファンによって流入される空気中の汚染物質をフィルターを利用して除去するものであってもよい。上記機能清浄モードは、それぞれの機能によって既設定の上記送風ファンの回転速度に応じて上記送風ファンを動作させることで、上記それぞれの機能を行うものであってもよい。上記機能清浄モードは、例えば、黄砂モード、洗濯物乾燥モード、就寝モードなどがあってもよく、上記黄砂モードは、黄砂の季節に室内に流入される黄砂及び上記黄砂に含まれている各種の有害汚染物質の濃度が高いため、上記除湿空気清浄機に流入させて上記有害物質を速やかに処理するモードであってもよい。また、上記就寝モードは、上記除湿空気清浄機が発生する騒音を最小限にして動作するモードであって、上記送風ファンの回転速度を最小限に設定するものであってもよい。
【０１７２】
除湿動作信号入力段階（Ｓ８２０）は、上記外部空気中に含まれている水蒸気を除去する除湿部を動作させる除湿動作信号の入力を受けることができる。上記除湿空気清浄機が清浄モードで動作しているときに、上記除湿動作信号の入力を受けることができ、上記除湿動作信号は、上記除湿動作のための上記送風ファンの回転速度に対する情報を含んでもよい。この場合、上記送風ファンの回転速度を上記清浄モードで設定した速度に設定するか、それとも、上記除湿動作信号の送風ファン回転速度に設定するかが問題となる。即ち、上記送風ファンの回転速度を上記清浄モードで設定した速度に合わせると、上記送風ファンの回転速度が速すぎて上記除湿部での除湿効果が著しく低下する恐れがあり、逆に、上記送風ファンの回転速度を上記除湿動作信号に応じて設定すると、特に、上記機能清浄モードにおいて、上記送風ファンの回転速度が変わるため、上記機能清浄モードを通じて得ようとした機能を行うことができなくなることがある。ここで、上記除湿動作信号は、使用者から直接入力を受けてもよく、上記外部空気の湿度が基準湿度値以上のときにも上記除湿動作信号の入力を受けることができる。
【０１７３】
清浄モード種類判断段階（Ｓ８３０）は、上記清浄モードが一般清浄モードであるか、機能清浄モードであるかを判断することができる。上述したように、上記清浄モードは一般清浄モードと機能清浄モードに区分されてもよく、現在、上記除湿空気清浄機のモードが何れに該当するかを判別することができる。ここで、上記清浄モードが一般清浄モードであれば、上記除湿段階（Ｓ８４０）を行うことができ、上記清浄モードが機能清浄モードであれば、上記機能清浄段階（Ｓ８５０）を行うことができる。上記清浄モードによって行う段階を異ならせることで、上記問題点を解決することができる。
【０１７４】
除湿段階（Ｓ８４０）は、上記清浄モードが一般清浄モードであれば、上記送風ファンの回転速度を上記除湿動作信号に応じて再設定し、上記除湿部を動作させて除湿動作を行うことができる。上記一般清浄モードは、使用者などが設定した風量で流入される空気に対する空気浄化を行うモードであって、上記使用者が設定した風量によってのみ得られる別途の機能や効果はないとみることができる。また、上記除湿動作信号の入力は、上記除湿動作が必要であるという意味であるため、上記除湿機能を優先的に行う必要があるとみることができる。従って、上記一般清浄モードで動作するときに上記除湿動作信号が入力されると、上記除湿部を利用して上記除湿機能を行うことができ、上記除湿動作信号に応じて上記送風ファンの動作速度を再設定することができる。上記除湿段階（Ｓ８４０）により上記除湿空気清浄機は除湿動作を行うことができ、空気中の水蒸気を除去することができる。ここで、上記送風ファンの回転速度は、上記外部空気の湿度値に応じて既設定の除湿動作速度に再設定されてもよい。
【０１７５】
機能清浄段階（Ｓ８５０）は、上記清浄モードが機能清浄モードであれば、上記送風ファンの回転速度を保持し、上記除湿動作は行わなくてもよい。上記機能清浄モードは、黄砂モード、洗濯物乾燥モード、就寝モードなどの既設定の機能を行うためものであって、上記機能を行うためには、上記送風ファンの回転速度が上記機能清浄モードで設定された回転速度に保持されるのが必須である。従って、上記機能清浄モードのときには、上記除湿動作信号に係らず、上記機能清浄モードで設定された送風ファンの回転速度をそのまま保持させることができる。また、上記除湿動作と関連して、上記機能清浄モードで設定された送風ファンの回転速度を保持したまま、上記除湿動作を行うと、除湿効果が著しく低下する恐れがあり、これは、上記除湿空気清浄機を使用する使用者の信頼度に悪影響を及ぼす。従って、上記機能清浄モードで動作するときには、上記除湿動作信号に係らず、上記除湿動作を行わなくてもよい。このとき、上記除湿空気清浄機は、上記除湿動作を行うことができないことを、上記除湿空気清浄機のハウジングに備えられることができる表示部に表示することができる。
【０１７６】
さらに、図示しなかったが、上記除湿空気清浄機の風量制御方法は、上記除湿段階（Ｓ８４０）の後に、上記外部空気の湿度が基準湿度値未満に低下すると、再び上記清浄モードに復帰する空気清浄復帰段階をさらに含んでもよい。即ち、使用者が空気清浄とともに一定の湿度を保持したいときは、上記除湿空気清浄機は上記除湿段階（Ｓ８４０）後に再び清浄モードに復帰する必要がある。このとき、上記送風ファンの回転速度を設定するために埃センサーで上記外部空気中の汚染物質の量を測定することができ、これに基づいて上記送風ファンの回転速度を設定することができる。具体的には、上記埃センサーが測定した埃量に対応する上記送風ファンの清浄駆動速度が予め設定されており、これに基づいて上記送風ファンの回転速度を再設定することができる。
【０１７７】
また、上記除湿空気清浄機の風量制御方法は、外部の照度値を測定して上記測定した照度値が基準照度値以下であれば、就寝モードで動作して上記除湿部の動作を中断させることができる。上記外部の照度値は、上記除湿空気清浄機の外部に備えられた照度センサーで測定した値であってもよい。上記照度センサーが測定した外部照度値が既設定の値以下であれば、周辺が暗くなったと判断して上記除湿空気清浄機を就寝モードで動作させることができる。
【０１７８】
上記就寝モードは、上記除湿空気清浄機で発生した騒音によって上記使用者の睡眠が邪魔されないように動作するものであって、上記除湿空気清浄機で発生する騒音を最小限に減らして動作させるものであってもよい。具体的には、上記除湿空気清浄機で発生する騒音は、上記送風ファンの回転による騒音と上記除湿部の圧縮機が電気モータを利用して冷媒を圧縮する音が最も大きな比重を占める。従って、上記就寝モードに該当するときには、上記除湿部の圧縮機の動作を中断させることができ、上記送風ファンの回転速度も既設定の就寝モードの回転速度以下で動作するように設定することができる。
【０１７９】
但し、使用者が直接上記除湿動作信号を入力したときには、上記照度センサーの外部照度値が上記既設定値以下の場合でも上記就寝モードで動作しなくてもよい。即ち、この場合には、空気中の水蒸気を除去するとの使用者の意思により、上記除湿部を動作させて除湿機能を行うことができる。
【０１８０】
具体的には、上記除湿空気清浄機は、使用者が直接除湿動作信号を入力して上記除湿空気清浄機が除湿動作を行うようにする受動モードと、使用者が目標湿度を入力すると、室内湿度を測定し、上記測定した室内湿度が上記目標湿度より高いときに自動的に除湿動作を行う自動モードと、で動作することができる。従って、上記除湿空気清浄機が上記自動モードで動作しているときには、上記就寝モードで動作することができるが、上記除湿空気清浄機が上記受動モードで動作しているときには上記就寝モードで動作せずに、上記除湿動作を行うことができる。
【０１８１】
また、上記除湿空気清浄機の風量制御方法は、洗濯物乾燥信号が入力されると、上記除湿部を動作させると同時に、上記送風ファンの回転速度を洗濯物乾燥速度に増加させることができる。上記洗濯物乾燥信号は、使用者が上記除湿空気清浄機のハウジングに備えられることができるインターフェース部を通じて入力してもよい。上記洗濯物乾燥信号が入力されると、上記除湿空気清浄機の動作を制御して上記洗濯物を迅速に乾燥させることができる。
【０１８２】
具体的には、上記除湿部を動作させるとともに、上記送風ファンの回転速度を上記洗濯物乾燥速度に増加させる方法を活用することができる。通常、除湿装置が除湿機能を行うときに風速が早すぎると、うまく除湿機能を行うことができない。但し、洗濯物の乾燥に関しては、上記洗濯物にさらに多い風量を提供することが、上記洗濯物に含まれている湿気を除去するのにより効果的であることができる。従って、上記送風ファンの回転速度を上記除湿機能を行う際に使用する最大回転速度より高い上記洗濯物乾燥回転速度にすることができる。即ち、上記除湿部の除湿機能を行うことによって除湿性能が悪くなっても、上記洗濯物に供給する風量を増加させて上記洗濯物を迅速に乾燥させることができる。
【０１８３】
参考までに、以上では、各段階が順に行われるように説明したが、これらの段階は、必要に応じて並列に行われてもよく、その順が入れ替わってもよい。
【０１８４】
図９は、本発明の一実施形態による除湿空気清浄装置における除霜方法を示すフローチャートである。
【０１８５】
図９を参照すると、本発明の一実施形態による除霜方法は、除湿段階（Ｓ９１０）、除霜モード転換段階（Ｓ９２０）、除霜段階（Ｓ９３０）及び除湿モード復帰段階（Ｓ９４０）を含んでもよい。
【０１８６】
以下、図９を参照して本発明の一実施形態による除湿装置での除霜方法を説明する。
【０１８７】
除湿段階（Ｓ９１０）は、圧縮機を利用して冷媒を圧縮し、凝縮器で上記冷媒を液化した後、蒸発器で上記冷媒を気化させて流入される空気を冷却することで、上記流入される空気中の湿気を除去する除湿モードで動作することができる。上記除湿段階（Ｓ９１０）は、圧縮機、凝縮器及び蒸発器を利用して空気中の湿気を除去する一般的な除湿方法であってもよい。
【０１８８】
除霜モード転換段階（Ｓ９２０）は、上記蒸発器に形成された霜を除去する除霜モードへの転換有無を決めることができる。低温の環境で除湿をする場合には、空気中の湿気が上記蒸発器の表面で凍って上記蒸発器の表面に霜が形成されることがある。上記蒸発器の表面に霜が形成されると、上記蒸発器での湿気除去が円滑に行われない恐れがあるため、上記霜を除去する必要がある。上記除湿段階のように湿気を除去する除湿モードから上記霜を除去する除霜モードに転換して上記霜を除去することができる。
【０１８９】
上記除霜モード転換段階（Ｓ９２０）は、上記蒸発器の表面温度が除霜基準温度以下であれば、上記除霜モードに転換することができる。効果的な除湿のためには、上記蒸発器に霜が形成された場合のみに除霜することが好ましいため、上記除霜モードへの転換時点を決めることが重要である。上記除霜モードへの転換時点を決めるために、上記蒸発器の表面温度を活用することができ、上記蒸発器の表面温度は温度センサーを通じて測定することができる。具体的には、上記温度センサーを活用して上記蒸発器の表面温度を測定し、上記表面温度が除霜基準温度以下であれば、上記蒸発器に霜が形成されたとみることができる。上記除霜基準温度は、上記蒸発器で液化した水蒸気が凍り始める温度であってもよい。その他に、上記温度信号が除霜基準温度以下で基準時間以上保持される場合に上記除霜モードに転換するようにしたり、既設定の周期ごとに繰り返して上記除霜モードに転換して除霜動作を行うようにすることも可能である。さらに、一般的には、上記温度信号を基準に除霜モードへの転換有無を決め、上記温度信号が入力されないか、入力された温度信号が既設定の範囲から外れる場合に、上記既設定の周期ごとに除霜モードに転換するようにすることができる。これは、上記温度信号が入力されないか、入力された温度信号が既設定の範囲から外れる場合には、上記温度信号を生成する温度センサーに異常があると判断することができるためである。
【０１９０】
除霜段階（Ｓ９３０）は、上記除霜モードに転換されると、上記圧縮機の電源を遮断し、上記蒸発器に外部空気を供給する送風ファンの駆動速度を除霜駆動速度に増加させることができる。上記蒸発器の表面に霜が形成されたと判断されると、除霜モードに転換して上記霜を除去することができる。上記除霜モードでは、上記圧縮機の電源を遮断して、それ以上流入された空気を上記蒸発器で冷却しないようにすることができる。これは、上記蒸発器の冷却により上記霜がさらに形成されることを防止するためである。また、上記送風ファンの駆動速度を除霜駆動速度に増加させて上記蒸発器にさらに多い外部空気が供給されるようにすることができる。上記外部空気は、上記蒸発器より高温であることができ、上記外部空気が上記蒸発器に熱を伝達することができる。上記蒸発器は上記外部空気が伝達する熱により表面温度が高くなることがあるため、上記蒸発器の表面に形成された霜が除去されることができる。
【０１９１】
除湿モード復帰段階（Ｓ９４０）は、上記除霜モードにより上記蒸発器に形成された霜が除去されると、上記除湿モードに復帰することができる。上記蒸発器に形成された霜を除去した後には、流入される空気中の湿気を除去するために再び除湿モードに復帰する必要がある。具体的には、上記除霜モード復帰段階（Ｓ９４０）は、上記除霜モードで動作中に上記蒸発器の表面温度が除霜基準温度より高くなると、上記圧縮機に電源を供給し、上記送風ファンの駆動速度を除湿動作速度に減少させることができる。上記蒸発器の表面温度が除霜基準温度より高いと、上記蒸発器の表面には霜が存在できなくなるため、上記蒸発器の表面の霜が除去されたとみることができる。従って、上記蒸発器の表面温度が除霜基準温度より高くなると、再び除湿モードに復帰することができる。上記除湿モードに復帰するために、上記圧縮機に電源を供給し、上記蒸発器が流入される空気を冷却して上記空気中の水蒸気を除去するようにすることができる。また、効率的な除湿のために上記送風ファンの駆動速度を除霜駆動速度から除湿動作速度に減少させることができる。
【０１９２】
図１０は本発明の一実施形態による除湿装置での熱交換器の乾燥方法を示すフローチャートであり、図１１は本発明の他の実施形態による除湿装置での熱交換器の乾燥方法を示すフローチャートである。
【０１９３】
以下、図１０及び図１１を参照して上記熱交換器の乾燥方法について説明する。
【０１９４】
図１０を参照すると、本発明の一実施形態による熱交換器の乾燥方法は、除湿中断段階（Ｓ１０１０）、センサー測定段階（Ｓ１０２０）、動作設定段階（Ｓ１０３０）及び送風ファン駆動段階（Ｓ１０４０）を含んでもよい。
【０１９５】
除湿中断段階（Ｓ１０１０）では、除湿空気清浄機の除湿動作が中断されてもよい。上記熱交換器の乾燥は、除湿空気清浄機の除湿動作が終了してから行わなければならないため、上記除湿空気清浄機の除湿動作の中断が先行されることができる。上記除湿中断は、使用者が直接除湿中断を入力するか、既設定の除湿動作時間が経過して中断されてもよい。または、外部空気の湿度が基準湿度値未満の場合に上記除湿動作が中断されてもよい。
【０１９６】
センサー測定段階（Ｓ１０２０）は、上記除湿動作が中断されると、除湿空気清浄機の内部温度及び湿度を上記除湿空気清浄機の内部に備えられた温度及び湿度センサーを利用して測定することができる。ここで、上記温度及び湿度センサーは、上記熱交換器の温度及び湿度を測定することができる。上記測定した温度及び湿度値に応じて上記熱交換器を乾燥させる送風ファンの動作を制御することができる。
【０１９７】
動作設定段階（Ｓ１０３０）は、上記測定した温度及び湿度値に応じて送風ファンの動作を設定することができる。ここで、上記動作設定段階（Ｓ１０３０）は、上記温度及び湿度に応じて上記送風ファンの動作モードを設定し、上記それぞれの動作モードに応じて上記送風ファンの動作速度及び動作時間を決めることができる。具体的には、上記動作設定段階（Ｓ１０３０）は、上記熱交換器の温度値（Ｔセンサー）が基準温度値（Ｔ基準）より高く、且つ上記熱交換器の湿度値（Ｈセンサー）が基準湿度値（Ｈ基準）より高いと、第１動作モードに設定（Ｓ１０３１）することができ、上記熱交換器の温度値（Ｔセンサー）が基準温度値（Ｔ基準）より低く、且つ上記熱交換器の湿度値（Ｈセンサー）が基準湿度値（Ｈ基準）より高いと、第２動作モード（Ｓ１０３２）に設定することができる。最後に、上記熱交換器の温度値（Ｔセンサー）が基準温度値（Ｔ基準）より低く、且つ上記熱交換器の湿度値（Ｈセンサー）が基準湿度値（Ｈ基準）より低いと、第３動作モード（Ｓ１０３３）に設定することができる。即ち、それぞれの熱交換器の温度値及び湿度値に応じて上記送風ファンの動作モードを設定することができる。
【０１９８】
送風ファン駆動段階（Ｓ１０４０）は、上記設定された送風ファンの動作に応じて上記送風ファンを駆動することができる。具体的には、上記第１動作モードでは、上記送風ファンを第１動作速度及び第１動作時間で動作させることができる（Ｓ１０４１）。ここで、上記第１動作速度は送風ファンの回転速度を速さで、上、中、下の３段階に区分したとき、「中」に該当する動作速度であってもよく、上記第１動作時間は上記送風ファンの動作時間を長さで、上、中、下の３段階に区分したとき、「上」に該当する動作時間であってもよい。
【０１９９】
次に、上記第２動作モードでは、上記送風ファンを第２動作速度及び第２動作時間で動作させることができる（Ｓ１０４２）。ここで、上記第２動作速度は上記「下」に該当する動作速度であってもよく、上記第２動作時間は上記「中」に該当する動作時間であってもよい。
【０２００】
最後に、上記第３動作モードでは、上記送風ファンを第３動作速度及び第３動作時間で動作させることができる（Ｓ１０４３）。ここで、上記第３動作速度は「下」に該当する動作速度であってもよく、上記第３動作時間は上記「下」に該当する動作時間であってもよい。
【０２０１】
図１１を参照すると、本発明の他の実施形態による熱交換器の乾燥方法は、除湿中断段階（Ｓ１１１０）、センサー測定段階（Ｓ１１２０）、動作設定段階（Ｓ１１３０）及び送風ファン駆動段階（Ｓ１１４０）を含んでもよい。
【０２０２】
上記除湿中断段階（Ｓ１１１０）、センサー測定段階（Ｓ１１２０）及び送風ファン駆動段階（Ｓ１１４０）は上述したため、ここでは詳しい説明を省略する。
【０２０３】
ここで、上記動作設定段階（Ｓ１１３０）は、図７の動作設定段階と異なって、上記熱交換器の湿度値だけで上記送風ファンの動作モードを設定することもできる。即ち、上記熱交換器の湿度値（Ｈセンサー）を既設定の最小設定湿度値（Ｈ＿ｍｉｎ）及び最大設定湿度値（Ｈ＿ｍａｘ）と比較して上記動作モードを設定することができる。具体的には、熱交換器の湿度値（Ｈセンサー）が上記最大設定湿度値（Ｈ＿ｍａｘ）より大きいと、第１動作モードに設定（Ｓ１１３１）することができ、上記熱交換器の湿度値（Ｈセンサー）が上記最大設定湿度値（Ｈ＿ｍａｘ）よりは小さいが、上記最小設定湿度値（Ｈ＿ｍｉｎ）より大きいときには第２動作モードに設定（Ｓ１１３２）することができる。最後に、上記第１動作モード及び第２動作モードに該当しないとき、即ち、上記熱交換器の湿度値（Ｈセンサー）が上記最小設定湿度値（Ｈ＿ｍｉｎ）より小さいと、第３動作モードに設定することができる。
【０２０４】
上記動作設定段階（Ｓ１１３０）で送風ファンの動作モードが設定されると、送風ファン駆動段階（Ｓ１１４０）で上記送風ファンの動作モードによる上記送風ファンの動作速度及び動作時間で上記送風ファンを駆動させることができる。上記第１動作モードに該当すると、第１動作速度及び第１動作時間に応じて送風ファンが動作（Ｓ１１４１）し、上記第２動作モードに該当すると、第２動作速度及び第２動作時間に応じて上記送風ファンが動作（Ｓ１１４２）することができる。最後に、第３動作モードに該当すると、第３動作速度及び第３動作時間に応じて上記送風ファンが動作（Ｓ８４３）することができる。
【０２０５】
上記送風ファン駆動段階（Ｓ１１４０）は、図１０を参照して説明したのと同様であるため、ここでは、詳しい説明を省略する。
【０２０６】
図１２は、本発明の一実施形態による除湿空気清浄機の過負荷制御方法を示すフローチャートである。
【０２０７】
図１２を参照すると、本発明の一実施形態による除湿空気清浄機の過負荷制御方法は、フィルタリング（Ｓ１２１０）、除湿段階（Ｓ１２２０）、過負荷モード転換段階（Ｓ１２３０）、過負荷段階（Ｓ１２４０）、除湿モード復帰段階（Ｓ１２５０）及びおすすめ湿度動作段階（Ｓ１２６０）を含んでもよい。
【０２０８】
以下、図１２を参照して本発明の一実施形態による除湿空気清浄機の過負荷制御方法を説明する。
【０２０９】
フィルタリング段階（Ｓ１２１０）は、送風ファンが形成する空気の流れにより流入される空気に対して、フィルター部を用いて汚染物質をろ過することができる。ここで、上記フィルター部は空気が上記除湿空気清浄機に流入されるときに汚染物質をろ過する第１フィルター部と、上記流入された空気が上記除湿空気清浄機の外部に吐出されるときに汚染物質をろ過する第２フィルター部に区分されてもよく、それぞれのフィルター部は複数のフィルターを含んでもよい。上記第１フィルター部は、前処理フィルター及び機能性フィルターなどを含んでもよく、上記第２フィルター部はヘパフィルター及び脱臭フィルターなどを含んでもよい。
【０２１０】
除湿段階（Ｓ１２２０）は、圧縮機を利用して冷媒を圧縮し、凝縮器で上記冷媒を液化した後、蒸発器で上記冷媒を気化させて流入される空気を冷却することで、上記流入される空気中の水蒸気を除去する除湿モードで動作することができる。上記除湿空気清浄機が空気中の水蒸気を除去する除湿動作を行うときには、上記圧縮機、凝縮器、蒸発器などを利用する除湿モードで動作することができる。但し、上記蒸発器での熱交換は上記除湿空気清浄機の外部温度に多くの影響を受け、上記外部温度が過負荷温度以上の場合には、上記蒸発器での熱交換が円滑に行われないことがある。この場合、上記圧縮機が過熱して上記圧縮機に高い電流が流れることがあり、上記圧縮機の保護のために上記圧縮機の動作は中断されることがある。上記蒸発器での熱交換が円滑でないことにより、上記圧縮機が過熱して高い電流が流れる状態を過負荷ということができる。
【０２１１】
過負荷モード転換段階（Ｓ１２３０）は、上記圧縮機にかかる過負荷を解消する過負荷モードへの転換有無を決めることができる。上記過負荷により上記圧縮機の動作が止まると、上記除湿空気清浄機は除湿動作を中断するため、これを防止するための制御を行うことができる。先ず、上記圧縮機に過負荷がかかったか否かを判断するために、上記除湿空気清浄機の外部温度や上記圧縮機に供給される電流の大きさを測定し、上記測定した値を基準値と比較することができる。即ち、上記測定した外部温度値と圧縮機供給電流の大きさがそれぞれ過負荷基準温度値及び基準電流値より大きいと、上記過負荷がかかったと判断することができる。上記過負荷がかかったと判断されると、上記過負荷を解消するために、上記除湿空気清浄機を上記過負荷解消のための過負荷モードで動作させることができる。
【０２１２】
過負荷段階（Ｓ１２４０）は、上記過負荷モードに転換されると、上記送風ファンの回転速度を過負荷駆動速度に増加させることができる。上記送風ファンは上記除湿空気清浄機の内部に外部の空気を流入させるものであって、回転を通じて空気の流れを形成することができる。上記送風ファンは、除湿機能だけでなく、空気清浄機能のための動作も行うため、一般的な除湿機より広い回転速度の範囲を有することができる。従って、上記送風ファンは、上記過負荷モードの時、一般的な除湿機の回転速度より早い過負荷駆動速度で動作することができ、上記送風ファンが供給する外部空気は、上記圧縮機の熱を吸収して上記圧縮機を冷却させることができる。上述したように、上記圧縮機が冷却されると、それ以上上記圧縮機の保護のために上記圧縮機の動作を中断させる必要がなくなり、引き続き上記除湿動作を行うことができる。
【０２１３】
除湿モード復帰段階（Ｓ１２５０）は、上記過負荷段階（Ｓ１２４０）により上記圧縮機にかかる過負荷が解消されると、上記除湿段階に復帰することができる。上記過負荷段階（Ｓ１２４０）は、上記圧縮機を冷却するために上記送風ファンの速度を過負荷駆動速度に増加させたため、除湿性能は一般的な除湿動作時に比べて低下することがある。従って、上記外部温度値が上記過負荷基準温度以下に低下したり、上記圧縮機の供給電流が基準電流値以下に低下すると、上記過負荷モードから上記除湿モードに復帰するようにすることができる。
【０２１４】
おすすめ湿度動作段階（Ｓ１２６０）は、おすすめ湿度動作信号が入力されると、外部の湿度を測定し、上記測定した湿度が基準湿度値、例えば、６０％を超えると、上記除湿段階（Ｓ１２２０）を行うことができる。上記除湿空気清浄機はおすすめ湿度モードで動作することができ、これは、使用者が上記除湿空気清浄機の外部に取り付けられてもよいインターフェース部を利用して入力することができる。上記おすすめ湿度モードの時には、湿度センサーが測定した外部湿度値の入力を受けることができ、上記外部湿度値が６０％超えると、上記除湿段階（Ｓ１２２０）を行うようにすることができる。その後、上記外部湿度値がおすすめ湿度範囲、例えば、４０％から６０％の間であれば、上記除湿段階（Ｓ１２２０）の動作を中断することができる。
【０２１５】
参照までに、以上では、各段階が順に行われるように説明されたが、これらの段階は、必要に応じて並列に行われても、その順が入れ替わってもよい。
【０２１６】
図１３は本発明の一実施形態による除湿空気清浄機の圧縮機起動騒音低減制御を示すフローチャートである。
【０２１７】
図１３を参照すると、本発明の一実施形態による除湿空気清浄機の除湿方法は、除湿動作信号入力段階（Ｓ１３１０）、送風ファン動作段階（Ｓ１３２０）、回転速度確認段階（Ｓ１３３０）、及び除湿部駆動段階（Ｓ１３４０）を含んでもよい。
【０２１８】
以下、図１３を参照して本発明の一実施形態による除湿空気清浄機の除湿方法を説明する。
【０２１９】
除湿動作信号入力段階（Ｓ１３１０）は、除湿空気清浄機の除湿部が空気中の水蒸気を除去する除湿動作を行うように制御する除湿動作信号の入力を受けることができる。上記除湿動作信号は、上記除湿空気清浄機の除湿部を動作させて上記除湿空気清浄機の内部に流入される空気中の水蒸気を除去するようにする信号であることができる。上記除湿動作信号は、上記除湿空気清浄機の外部に位置するインターフェース部（不図示）により使用者から入力されるものであってもよい。上記除湿空気清浄機は、空気中の水蒸気を除去する除湿機能と空気中の汚染物質を除去する空気清浄機能を個別的に行うか、上記二つの機能を同時に行うことができる。上記除湿動作信号は、上記除湿機能のみを行うか、上記除湿機能及び空気清浄機能を同時に行う時に入力されることができる。
【０２２０】
送風ファン動作段階（Ｓ１３２０）は、上記除湿動作信号が入力されると、上記除湿空気清浄機の内部に外部の空気を流入させる送風ファンを動作させることができる。上記除湿動作信号が入力されると、先ず、上記送風ファンを動作させることができ、上記送風ファンの動作により騒音が発生することがある。上記除湿動作を行うためには、上記除湿空気清浄機に備えられた除湿部とともに上記送風ファンが動作しなければならないが、上記除湿部を動作させる前に予め上記送風ファンのみを動作させることもできる。
【０２２１】
回転速度確認段階（Ｓ１３３０）は、上記送風ファンの回転速度が既設定の回転速度以上であるか否かを確認することができる。上記送風ファンを動作させた後に上記送風ファンの回転速度を確認することができる。上述のように、先ず上記送風ファンを回転させる理由は、上記送風ファンの動作による騒音を先に発生させてから上記除湿部を動作させるためである。従って、上記送風ファンの回転速度は、上記既設定の回転速度に到達するまで徐々に増加することができる。一般的に送風ファンの回転速度が高いほど、発生する騒音も大きくなるため、上記送風ファンの回転速度を確認して上記送風ファンが発生させる騒音が目標とする騒音の大きさの分だけ増加したか否かを確認することができる。ここで、上記目標とする騒音の大きさは、上記除湿部が動作するときに発生する騒音の大きさと同一又は大きくてもよい。
【０２２２】
除湿部駆動段階（Ｓ１３４０）は、上記送風ファンが既設定の回転速度以上であれば、上記除湿空気清浄機の除湿部を駆動することができる。即ち、上記送風ファンの回転速度が上記既設定の回転速度以上であれば、上記送風ファンが発生させる騒音の大きさが上記目標とする騒音の大きさ以上に発生するとみることができる。従って、上記除湿空気清浄機の除湿部を駆動させても、使用者は上記除湿部の駆動による騒音及び振動に驚かずに済み、上記除湿空気清浄機が誤作動すると誤認しない。ここで、上記除湿部を駆動させることは、具体的には、上記除湿部の一構成である圧縮機を駆動させることとみることができる。上記圧縮機は冷媒を圧縮させるもので、電気モータを利用するため、動作時に高い騒音と振動が発生することがある。従って、上記送風ファンが既設定の回転速度以上で動作すると、具体的に上記除湿部の圧縮機が駆動を開始してもよい。
【０２２３】
図示しなかったが、上記除湿部が駆動された後に上記送風ファンの回転速度を除湿動作速度に再設定する、除湿動作速度再設定段階をさらに含んでもよい。上記除湿部、具体的に上記圧縮機が駆動された後には、上記圧縮機が発生させる騒音及び振動が減少することができる。従って、上記圧縮機が駆動を開始すると、上記送風ファンの回転速度を減らして上記除湿動作に適する速度、即ち、除湿動作速度で回転するようにすることができる。
【０２２４】
本発明は上述した実施形態及び添付の図面により限定されない。添付の請求の範囲により権利範囲を限定し、請求の範囲に記載された本発明の技術的思想から外れない範囲内で多様な形態の置換、変形及び変更が可能であるということは当技術分野の通常の知識を有する者には自明である。
【符号の説明】
【０２２５】
１００  除湿空気清浄機
１１０  フィルター部
１１０Ａ  第１フィルター部
１１０Ｂ  第２フィルター部
１１１  前処理フィルター
１１２  機能性フィルター
１１３  ヘパフィルター
１１４  脱臭フィルター
１２０  除湿部
１２１  蒸発器
１２２  圧縮機
１２３  凝縮器
１３０  送風ファン
１４０  制御部
Ｓ１  湿度センサー
Ｓ２  埃センサー
Ｓ３  照度センサー
【図１】
2014517251.tif 000003
【図２】
2014517251.tif 000004
【図３】
2014517251.tif 000005
【図４】
2014517251.tif 000006
【図５】
2014517251.tif 000007
【図６】
2014517251.tif 000008
【図７】
2014517251.tif 000009
2014517251.tif 000010
【図８】
2014517251.tif 000011
【図９】
2014517251.tif 000012
【図１０】
2014517251.tif 000013
【図１１】
2014517251.tif 000014
【図１２】
2014517251.tif 000015
【図１３】
2014517251.tif 000016
【国際調査報告】
2014517251.tif 000017
2014517251.tif 000018